(57)【要約】【課題】使用者の手や服の袖を挟んでしまったり、使用者が首にかけているストラップが引っかかってしまうことを防止可能な台座を提供する。【解決手段】台座２は、板状部９０の対向する二つの辺である第一辺９０１、第二辺９０２及び対向する二つの辺である第三辺９０３、第四辺９０４を備える。第一辺９０１と第三辺９０３との間に傾斜部９１７が形成され、第一辺９０１と第四辺９０４との間に傾斜部９１８が形成され、第二辺９０２と第三辺９０３との間に傾斜部９１９が形成され、第二辺９０２と第四辺９０４との間に傾斜部９２０が形成されている。第一板状部９０５には、物品の載置可能範囲を示す目印９５１〜目印９５６が設けられている。第一板状部９０５の目印９５１〜目印９５６に囲まれる矩形の範囲には、被載置物である物品のずれを抑制する滑り止め部９２５が形成されている。【選択図】図２２
2014177303.tif 000002
【特許請求の範囲】
【請求項１】
八角形状の板状部と、
前記板状部に於いて、互いに対向する第一辺及び第二辺の組である第一組、及び前記第一辺及び前記第二辺の対向方向と直交する方向において互いに対向する第三辺及び第四辺の組である第二組のうち前記第一組の前記第一辺及び前記第二辺間を直線状に結ぶ二つの折り曲げ可能な部位である一対の曲折部と、
前記一対の曲折部と前記第一組の前記第一辺及び前記第二辺とが夫々交差する四つの交点と、前記一対の曲折部の夫々の延設方向の各中央部との間に各々設けられ、切れ目を備えた複数の底面部と、
前記一対の曲折部の夫々に於いて、二つの前記底面部の間に設けられ、切れ目を備えた複数の側面部と
を備え、
前記複数の底面部の夫々は、
前記一対の曲折部の夫々から、前記一対の曲折部の夫々と交差する方向、且つ、前記板状部に対して前記第二組の前記第三辺及び前記第四辺の対向する方向である第一方向の内側に延びる二つの切れ目である一対の第一底面切れ目と、
前記一対の第一底面切れ目の夫々の間を延びる切れ目であって前記一対の曲折部の夫々と平行な第二底面切れ目とを備え、
前記一対の第一底面切れ目及び前記第二底面切れ目からなる切れ目は台形形状を形成し、
前記複数の側面部の夫々は、
前記一対の曲折部の夫々から、前記一対の曲折部の夫々と交差する方向、且つ、前記板状部に対して前記第一方向の外側に延びる二つの切れ目である一対の第一側面切れ目と、
前記一対の第一側面切れ目の夫々の間を延びる切れ目である第二側面切れ目とを備え、
前記板状部は、
前記一対の曲折部間に形成される第一板状部と、
前記第一板状部に対して前記一対の曲折部の夫々を挟んで隣接する一対の第二板状部とを備え、
前記一対の第二板状部の夫々は、前記第一辺と前記第三辺との間、前記第一辺と前記第四辺との間、前記第二辺と前記第三辺との間及び前記第二辺と前記第四辺との間に傾斜部を各々備えたことを特徴とする台座。
【請求項２】
前記第一板状部には、被載置物の載置可能範囲を示す目印が形成されていることを特徴とする請求項１に記載の台座。
【請求項３】
前記第一板状部には、被載置物のずれを抑制する滑り止め部が形成されていることを特徴とする請求項１又は２に記載の台座。
【請求項４】
前記第二板状部には、開口部である把手孔が形成されていることを特徴とする請求項１から３のいずれかに記載の台座。
【請求項５】
前記第一板状部には、前記第一辺側及び前記第二辺側の少なくとも一方に被載置物のずれ防止する引き起し部が形成されていることを特徴とする請求項１から４のいずれかに記載の台座。
【請求項６】
前記目印は、ミシン目であることを特徴とする請求項２に記載の台座。
【請求項７】
前記滑り止め部は、摩擦係数が前記第一板状部の表面よりも大きい樹脂製フィルムから構成されていることを特徴とする請求項３に記載の台座。
【請求項８】
前記引き起し部は、前記第一板状部に入れられた切れ目から形成されており、前記引き起こし部の引き起こし方向は、前記第一辺及び前記第二辺の延設方向と平行に形成されていることを特徴とする請求項５に記載の台座。
【請求項９】
前記板状部は、
段ボールで形成され、
厚さ方向において互いに対向する少なくとも一組の面の間に設けられ、一定方向に延設される山部及び谷部が交互に配置されることで波形状をなす中芯をさらに備え、
前記一対の曲折部の夫々の前記延設方向は、
前記一定方向と交差することを特徴とする請求項１から８のいずれかに記載の台座。
【請求項１０】
前記一対の曲折部の夫々に沿って前記一対の第二板状部を、前記第一板状部に対して夫々折り曲げて立設した場合に、
前記複数の側面部の夫々に於いて、前記一対の第一側面切れ目及び前記第二側面切れ目で囲まれた部分である側面突出部は、前記第一板状部の前記一対の曲折部の夫々から、前記一対の曲折部が互いに対向する方向に対して平行で、且つ前記第一板状部から離間する方向に突出し、
前記複数の底面部の夫々に於いて、前記一対の第一底面切れ目及び前記第二底面切れ目で囲まれた部分である底面突出部は、前記第一板状部の前記一対の曲折部の夫々から、前記第二板状部が前記第一板状部に対して立設する方向と反対方向に突出することを特徴とする請求項９に記載の台座。
【請求項１１】
前記一対の曲折部の夫々の前記延設方向及び前記第二側面切れ目の延設方向は前記一定方向と直交し、前記第二板状部は前記第一板状部と垂直をなすことを特徴とする請求項１０に記載の台座。
【発明の詳細な説明】
【技術分野】
【０００１】
本発明は、物品と共に包装される台座に関する。
【背景技術】
【０００２】
物品を包装する包装装置が知られている。例えば特許文献１に記載の包装装置は、物品をコンベアで搬送し、その搬送過程でフィルムによって物品を覆う。包装装置は、ヒータによってフィルムを加熱し、フィルムの重なった部分を接着する。以上の工程を経て、物品は包装される。
【先行技術文献】
【特許文献】
【０００３】
【特許文献１】特開平１−１１１６０４号公報
【発明の概要】
【発明が解決しようとする課題】
【０００４】
上記従来の包装装置では、物品をコンベアで搬送してフィルムによって物品を覆う工程で、包装装置と物品との間に、使用者の手や服の袖を挟んでしまったり、使用者が首にかけているストラップが物品に引っかかってしまう場合があるという問題点があった。
【０００５】
本発明の目的は、使用者の手や服の袖を挟んでしまったり、使用者が首にかけているストラップが引っかかってしまうことを防止可能な、物品を載置する台座を提供することである。
【課題を解決するための手段】
【０００６】
本発明の台座は、八角形状の板状部と、前記板状部に於いて、互いに対向する第一辺及び第二辺の組である第一組、及び前記第一辺及び前記第二辺の対向方向と直交する方向において互いに対向する第三辺及び第四辺の組である第二組のうち前記第一組の前記第一辺及び前記第二辺間を直線状に結ぶ二つの折り曲げ可能な部位である一対の曲折部と、前記一対の曲折部と前記第一組の前記第一辺及び前記第二辺とが夫々交差する四つの交点と、前記一対の曲折部の夫々の延設方向の各中央部との間に各々設けられ、切れ目を備えた複数の底面部と、前記一対の曲折部の夫々に於いて、二つの前記底面部の間に設けられ、切れ目を備えた複数の側面部とを備え、前記複数の底面部の夫々は、前記一対の曲折部の夫々から、前記一対の曲折部の夫々と交差する方向、且つ、前記板状部に対して前記第二組の前記第三辺及び前記第四辺の対向する方向である第一方向の内側に延びる二つの切れ目である一対の第一底面切れ目と、前記一対の第一底面切れ目の夫々の間を延びる切れ目であって前記一対の曲折部の夫々と平行な第二底面切れ目とを備え、前記一対の第一底面切れ目及び前記第二底面切れ目からなる切れ目は台形形状を形成し、前記複数の側面部の夫々は、前記一対の曲折部の夫々から、前記一対の曲折部の夫々と交差する方向、且つ、前記板状部に対して前記第一方向の外側に延びる二つの切れ目である一対の第一側面切れ目と、前記一対の第一側面切れ目の夫々の間を延びる切れ目である第二側面切れ目とを備え、前記板状部は、前記一対の曲折部間に形成される第一板状部と、前記第一板状部に対して前記一対の曲折部の夫々を挟んで隣接する一対の第二板状部とを備え、前記一対の第二板状部の夫々は、前記第一辺と前記第三辺との間、前記第一辺と前記第四辺との間、前記第二辺と前記第三辺との間及び前記第二辺と前記第四辺との間に傾斜部を各々備えている。
【０００７】
本発明の台座は、一対の曲折部によって折り曲げた状態で梱包箱に収容された場合、底面部及び側面部によって梱包箱の周壁から板状部を離隔させることができる。従って、物品が載置された台座を梱包箱に収容した状態で、梱包箱に加えられた衝撃が物品に伝わることを抑制できる。台座は、梱包箱に加えられた衝撃から物品を保護することが可能となる。また、各第二板状部は、第一辺と第三辺との間、第一辺と第四辺との間、第二辺と第三辺との間及び第二辺と第四辺との間に傾斜部を各々備えているので、物品が載置された台座がフィルムによって覆われる工程で、傾斜部が使用者の手や服の袖、使用者が首にかけているストラップ等を斜め上方に案内して排除する。従って、使用者の手や服の袖を挟んでしまったり、使用者が首にかけているストラップが台座に引っかかってしまうことを防止できる。
【０００８】
本発明の台座において、前記第一板状部には、被載置物の載置可能範囲を示す目印が形成されてもよい。使用者は目印内に物品を載置することにより、物品を台座の正しい位置に載置することができる。従って、物品と包装装置の干渉を防止できる。
【０００９】
本発明の台座において、前記第一板状部には、被載置物のずれを抑制する滑り止め部が形成されていてもよい。第一板状部に設けられた滑り止め部により、物品が載置された台座がフィルムによって覆われる工程で、物品が台座からずれることを防止できる。
【００１０】
本発明の台座において、前記第二板状部には、開口部である把手孔が形成されていてもよい。物品が載置され、フィルムによって覆われた台座を把手孔により容易に持ち運びできる。
【００１１】
本発明の台座において、前記第一板状部には、前記第一辺側及び前記第二辺側の少なくとも一方に被載置物のずれ防止する引き起し部が形成されていてもよい。引き起し部に物品が当接するので、台座から物品が外れてしまうことを防止できる。
【００１２】
本発明の台座において、前記目印は、ミシン目であってもよい。目印をミシン目にすることで、台座の打ち抜き形成と同時にミシン目も形成できる。従って、加工の工数を増やす必要がない。
【００１３】
本発明の台座において、前記滑り止め部は、摩擦係数が前記第一板状部の表面よりも大きい樹脂製フィルムから構成されていてもよい。摩擦係数が前記第一板状部の表面よりも高い樹脂製フィルムを台座の第一板状部に貼り付けることにより容易に滑り止め部を形成できる。
【００１４】
本発明の台座において、前記引き起し部は、前記第一板状部に入れられた切れ目から形成されており、前記引き起こし部の引き起こし方向は、前記第一辺及び前記第二辺の延設方向と平行に形成されていてもよい。引き起こし部の引き起こし方向は、前記第一辺及び前記第二辺の延設方向と平行、即ち、台座に載置された物品に樹脂製フィルムを被せる方向と直交する方向であるので、引き起こし部に物品が当接しても引き起こし部が押し込まれることが無い。従って、台座に載置された物品のずれ及び台座から物品が外れてしまうことを確実に防止できる。
【００１５】
本発明の台座において、前記板状部は、段ボールで形成され、厚さ方向において互いに対向する少なくとも一組の面の間に設けられ、一定方向に延設される山部及び谷部が交互に配置されることで波形状をなす中芯をさらに備え、前記一対の曲折部の夫々の前記延設方向は、前記一定方向と交差していてもよい。一対の曲折部を境に台座が折り曲げられた場合、波形の中芯が備える複数の山部及び谷部は一定方向に延び、一対の曲折部を境に折れ曲がる。折り曲げられることで第一板状部から立設する各第二板状部の立設状態は、夫々、折れ曲がった複数の山部及び谷部によって維持される。各第二板状部は第一方向に傾倒しにくい。台座に対して、第一方向に荷重が加わる場合であっても、荷重は第二板状部によって分散される。また、複数の山部及び谷部は、第一板状部において各曲折部の間を延びる。第一板状部に対して、第一方向に荷重が加わる場合であっても、荷重は、複数の山部及び谷部によって分散される。故に、台座は第一方向に対する耐荷重性を向上できる。第一板状部及び各第二板状部は、第一辺及び第二辺の対向方向に延びる。従って、台座に対して、第一辺及び第二辺の対向方向に荷重が加わる場合であっても、台座は変形しにくい。故に、台座は、第一辺及び第二辺の対向方向に対する耐荷重性を向上できる。また、複数の山部及び谷部は、各第二板状部において各曲折部側である基端側から先端側に延びる。第二板状部に、第一板状部の厚さ方向に荷重が加わる場合でも、荷重は複数の山部及び谷部に分散される。従って、台座は、第一板状部の厚さ方向に対する耐荷重性を向上できる。以上より、台座は耐荷重性を向上できる。
【００１６】
本発明の台座において、前記一対の曲折部の夫々に沿って前記一対の第二板状部を、前記第一板状部に対して夫々折り曲げて立設した場合に、前記複数の側面部の夫々に於いて、前記一対の第一側面切れ目及び前記第二側面切れ目で囲まれた部分である側面突出部は、前記第一板状部の前記一対の曲折部の夫々から、前記一対の曲折部が互いに対向する方向に対して平行で、且つ前記第一板状部から離間する方向に突出し、前記複数の底面部の夫々に於いて、前記一対の第一底面切れ目及び前記第二底面切れ目で囲まれた部分である底面突出部は、前記第一板状部の前記一対の曲折部の夫々から、前記第二板状部が前記第一板状部に対して立設する方向と反対方向に突出していてもよい。一対の曲折部を境に台座が折り曲げられた時、複数の山部及び谷部は、各側面突出部及び各底面突出部の夫々において、各曲折部側である基端側から先端側へ延びる。台座を梱包箱に収容させて、各側面突出部の先端部を梱包箱の側壁に接触させ、第二組の二辺を梱包箱の上壁に接触させ、各底面突出部の先端部を梱包箱の底壁に接触させる。梱包箱の側壁、上壁、又は底壁に対して垂直方向に荷重が加わる場合であっても、荷重は各側面突出部の先端部、各第二板状部、又は各底面突出部の先端部に伝わる。荷重は、複数の山部及び谷部によって分散されるので、各側面突出部、各第二板状部、及び各底面突出部は変形しにくい。以上より、台座は梱包箱に収容される場合であっても耐荷重性を向上できる。
【００１７】
本発明の台座において、前記一対の曲折部の夫々の前記延設方向及び前記第二側面切れ目の延設方向は前記一定方向と直交し、前記第二板状部は前記第一板状部と垂直をなしていてもよい。第一板状部に対して第一方向に荷重が加わる場合、又は第二板状部に対して第一板状部の厚さ方向に荷重が加わる場合のいずれの場合であっても、荷重は複数の山部及び谷部を延設方向に圧縮させる方向に向き易い。荷重が加わる場合であっても、複数の山部及び谷部は折れ曲がりにくく、変形しにくい。従って、台座は、耐荷重性を更に向上できる。また、台座を梱包箱に収容させて、各側面部突出部の先端部を梱包箱の側壁に接触させ、第二組の二辺を梱包箱の上壁に接触させ、各底面突出部の先端部を梱包箱の底壁に接触させる。該場合、梱包箱の側壁、上壁、又は底壁に対して垂直方向に荷重が加わる場合であっても、梱包箱から各側面部突出部の先端部、第二板状部、又は各底面突出部の先端部に伝わる荷重は、複数の山部及び谷部を延設方向に圧縮させる方向に向き易い。荷重が加わる場合であっても、複数の山部及び谷部は折れ曲がりにくく、変形しにくい。故に、台座は、梱包箱に収容される場合であっても耐荷重性を更に向上できる。
【図面の簡単な説明】
【００１８】
【図１】包装装置１（第一受け台１２、第二受け台１３を開放した状態）の斜視図である。
【図２】包装装置１（第一受け台１２、第二受け台１３を開放した状態）の斜視図である。
【図３】包装装置１（第一受け台１２、第二受け台１３を閉塞した状態）の斜視図である。
【図４】支持部３４、加熱部４０、及び回転抑制部８０の斜視図である。
【図５】支持部３４、加熱部４０、及び回転抑制部８０の斜視図である。
【図６】支持部３４が最上位に配置した状態の右側面図である。
【図７】支持部３４が最下位に配置した状態の右側面図である。
【図８】加熱部４０の分解斜視図である。
【図９】加熱部４０の斜視図である。
【図１０】回転抑制部８０の斜視図である。
【図１１】回転抑制部８０（ストッパ８１が上流側に移動した状態）の平面図である。
【図１２】回転抑制部８０（ストッパ８１が下流側に移動した状態）の平面図である。
【図１３】加熱部４０、蓋部４６、及び回転抑制部８０の拡大斜視図である。
【図１４】加熱部４０、蓋部４６、及び回転抑制部８０の拡大斜視図である。
【図１５】加熱部４０、蓋部４６、及び回転抑制部８０の拡大斜視図である。
【図１６】加熱部４０、蓋部４６、及び回転抑制部８０の右側面図である。
【図１７】搬送機構５０の斜視図である。
【図１８】搬送機構５０の右側面図である。
【図１９】第一搬送部６１及び第二搬送部６２の拡大斜視図である。
【図２０】搬送機構５０の下流側の拡大右側面図である。
【図２１】第一搬送部６１及び第二搬送部６２の側面図である。
【図２２】台座２（曲折しない状態）を上側から見た平面図である。
【図２３】台座２（曲折した状態）を上側から見た斜視図である。
【図２４】台座２（曲折した状態）を上側から見た平面図である。
【図２５】台座２（曲折した状態）を搬送方向上流側からみた図である。
【図２６】台座２（曲折した状態）の左側面図である。
【図２７】台座２（曲折しない状態）を下側から見た平面図である。
【図２８】台座２（曲折した状態）を下側から見た斜視図である。
【図２９】第二受け台１３上に載置された台座２の平面図である。
【図３０】第一搬送部６１及び第二搬送部６２（台座２が載置された状態）の拡大斜視図である。
【図３１】第一搬送部６１及び第二搬送部６２に台座２をセットする場合の第一搬送部６１の状態を示す側面図である。
【図３２】包装装置１の電気的構成を示すブロック図である。
【図３３】包装処理のフローチャートである。
【図３４】包装処理による包装工程を示す図である。
【図３５】包装処理による包装工程を示す図である。
【図３６】包装処理による包装工程を示す図である。
【図３７】包装処理による包装工程を示す図である。
【図３８】包装処理による包装工程を示す図である。
【図３９】包装処理による包装工程を示す図である。
【図４０】包装処理による包装工程を示す図である。
【図４１】包装処理による包装工程を示す図である。
【図４２】包装処理による包装工程を示す図である。
【図４３】包装処理による包装工程を示す図である。
【図４４】包装処理による包装工程を示す図である。
【図４５】梱包箱９９６に収容された状態の台座２を搬送方向上流側からみた図である。
【図４６】上ケース８２１及び下ケース８２３を装着した状態の包装装置１（第一受け台１２、第二受け台１３を開放した状態）の斜視図である。
【図４７】上ケース８２１及び下ケース８２３を装着した状態の包装装置１の右側面図である。
【図４８】変形例の台座２（曲折した状態）を上側から見た斜視図である。
【図４９】変形例の台座２（曲折した状態）を下側から見た斜視図である。
【発明を実施するための形態】
【００１９】
以下、本発明の一実施形態について、図面を参照して説明する。図１から図３を参照し、包装装置１の概要について説明する。包装装置１は、台紙等の台座２（図２３等参照）上に載置された物品３（図３４等参照）の上側をフィルム２４（図３４等参照）で覆い、物品３を台座２に固定することによって、物品３を包装する。以下、このようにして物品３を包装することを、「台座２及び物品３を包装する」という。包装装置１は、図１の右斜め上側から左斜め下側に向けて台座２を搬送しつつ、台座２及び物品３を包装する。図１の上側、下側、右斜め下側、及び左斜め上側を、夫々、包装装置１の上側、下側、右側、及び左側という。図１の右斜め上側及び左斜め下側を、夫々、搬送方向の上流側及び下流側という。
【００２０】
包装装置１は、平面視矩形状の底部１０の左右方向の端部から上方に立設された側板部１１１、１１２を備える。側板部１１１は、包装装置１の右側に設けられる。側板部１１２は、包装装置１の左側に設けられる。以下、側板部１１１、１１２を総称し、「側板部１１」という。側板部１１の形状は、上下方向を長手方向とする略長方形の板状である。側板部１１１、１１２の各内面は対向する。図１に示すように、側板部１１１の下流側の端部と、側板部１１２の下流側の端部との間に、板状の架設板部１１７が架け渡される。図２に示すように、側板部１１１の上流側の端部と、側板部１１２の上流側の端部との間に、板状の架設板部１１８が架け渡される。架設板部１１７、１１８間に、フィルムカセット２１が配置する。フィルムカセット２１は、側板部１１１、１１２によって挟まれた部分に支持される。
【００２１】
側板部１１１の右側面に、右方に突出した突出部１１３が設けられる。側板部１１２の左側面に、左方に突出した突出部１１４が設けられる。突出部１１３、１１４は、夫々、上下方向に延びる箱体である。突出部１１３、１１４の内部には、第一モータ２２１（図３２参照）の回転によって駆動するキャリッジ（図示外）が設けられる。図２に示すように、突出部１１３の内部のキャリッジは、突出部１１３の上流側の部分で、支持部３４１（後述）から右方に延びる板状の支持板部３５１と接続する。突出部１１４の内部のキャリッジは、突出部１１４の上流側の部分で、支持部３４２（後述）から左方に延びる板状の支持板部３５２に接続する。第一モータ２２１は、キャリッジを介して、支持板部３５１、３５２の夫々に接続する支持部３４１、３４２を上下方向に移動させることが可能である。
【００２２】
側板部１１１の右側面のうち、突出部１１３の下流側に、右方に突出した突出部１１５が設けられる。側板部１１２の左側面のうち、突出部１１４の下流側に、左方に突出した突出部１１６（図４、図５参照）が設けられる。突出部１１５の内部には、第五モータ２２５（図３２参照）が設けられる。第五モータ２２５は、突出部１１５、１１６間に設けられたキャリッジ（図示外）を駆動する。キャリッジは、切断部７７（図５参照）を左右方向に移動させることが可能である。
【００２３】
フィルムカセット２１は、フィルム２４が巻回されたフィルムロール２２（図５参照）を内部に収容する。フィルムカセット２１は、フィルムロール２２に巻回されたフィルム２４の幅方向に延びる排出口（図示外）を下側に備える。フィルムロール２２から繰り出されるフィルム２４は、排出口から下方に排出される。物品３が載置された台座２は、フィルムカセット２１の下方且つ側板部１１１、１１２間を、上流側から下流側に向けて搬送され、フィルムロール２２から繰り出されたフィルム２４によって包装される。
【００２４】
側板部１１１、１１２は、フィルムカセット２１を支持する部分にクラッチばねを備える。クラッチばねは、フィルムカセット２１からフィルム２４が排出される場合のフィルムロール２２の回転方向と逆方向にトルクを加える。
【００２５】
側板部１１は、下流側の端部で第一受け台１２を揺動可能に支持する。第一受け台１２の形状は、左右方向を短手方向とする平面視略長方形の箱状である。第一受け台１２は、上流側を支点として揺動する。第一受け台１２は、包装が完了した台座２及び物品３を、上面で受ける。以下、第一受け台１２の上面を「受け面」という。
【００２６】
第一受け台１２の右端且つ上流側に、案内部１６１が設けられる。案内部１６１は、第一延設部１６２、第二延設部１６３、及び突出部１６４を備える。第一延設部１６２は、第一受け台１２の右端から右側に向けて延びる板状部材である。第二延設部１６３は、第一延設部１６２の右端から上方に向けて延びる側面視略長方形の板状部材である。突出部１６４は、第二延設部１６３の左側面から左側に突出する板状部材である。第一受け台１２の左端且つ上流側に、案内部１６５が設けられる。案内部１６５は、第一延設部１６６、第二延設部１６７、及び突出部１６８を備える。第一延設部１６６は、第一受け台１２の左端から左側に向けて延びる板状部材である。第二延設部１６７は、第一延設部１６６の左端から上方に向けて延びる側面視略長方形の板状部材である。突出部１６８は、第二延設部１６７の右側面から右側に突出する板状部材である。以下、案内部１６１、１６５を総称し、「案内部１６」という。
【００２７】
図２に示すように、側板部１１は、上流側の端部で第二受け台１３を揺動可能に支持する。第二受け台１３の形状は、左右方向を短手方向とする平面視略長方形の箱状である。第二受け台１３は、下流側を支点として揺動する。第二受け台１３は、側板部１１１、１１２間に向けて上流側から搬送される台座２を上面で受ける。以下、第二受け台１３の上面を、第一受け台１２の場合と同様、「受け面」という。
【００２８】
第二受け台１３の右端且つ下流側に、案内部１７１が設けられる。案内部１７１は、第一延設部１７２、第二延設部１７３、及び突出部１７４を備える。第一延設部１７２は、第二受け台１３の右端から右側に向けて延びる板状部材である。第二延設部１７３は、第一延設部１７２の右端から上方に向けて延びる側面視略長方形の板状部材である。突出部１６４は、第二延設部１６３の左側面から左側に突出する。第二受け台１３の左端且つ下流側に、案内部１７５が設けられる。案内部１７５は、第一延設部１７６、第二延設部１７７、及び突出部１７８を備える。第一延設部１７６は、第二受け台１３の左端から左側に向けて延びる板状部材である。第二延設部１７７は、第一延設部１７６の左端から上方に向けて延びる側面視略長方形の板状部材である。突出部１７８は、第二延設部１７７の右側面から右側に突出する板状部材である。以下、案内部１７１、１７５を総称し、「案内部１７」という。
【００２９】
図１及び図２に示すように、第一受け台１２及び第二受け台１３が揺動し、受け面が略水平となった場合、第一受け台１２の受け面及び第二受け台１３の受け面は同一平面を形成する。脚部１２１は、受け面が水平状態となった第一受け台１２を下方から支持し、脚部１３１は、受け面が水平状態となった第二受け台１３を下方から支持する。物品３が載置された台座２は、双方の受け面によって形成された平面上を、上流側から下流側に向けて搬送される。以下、第一受け台１２及び第二受け台１３の受け面によって形成される平面であって、搬送される台座２の経路部分を、「搬送経路１０３（図６、図７参照）」という。
【００３０】
使用者は、第一受け台１２及び第二受け台１３を手動で揺動させ、受け面が略水平となるように切り替えることによって、フィルム２４による台座２及び物品３の包装が可能な状態とする。この状態で、第一受け台１２及び第二受け台１３の受け面は同一平面を形成するので、台座２をスムーズに搬送させることが可能になる。一方、使用者は、図３に示すように、第一受け台１２及び第二受け台１３を手動で揺動させ、受け面が垂直となるように切り替えることもできる。この状態では、第一受け台１２及び第二受け台１３が側板部１１１、１１２間の搬送経路を塞ぐ。これによって、包装装置１を設置するために必要なスペースを小さくすることができる。また包装装置１を持ち運び容易な状態とすることができる。
【００３１】
第一受け台１２及び第二受け台１３の右端部及び左端部に、夫々、無端状のベルト５１１、５１２が設けられる。ベルト５１１は、プーリ５２１〜５２７（図１７参照）の間に架設される。ベルト５１２は、プーリ５３３〜５３５（図示外）等の間に架設される。以下、ベルト５１１、５１２を総称して、「ベルト５１」ともいう。ベルト５１は繊維とウレタンゴム等の複合材であり、弾性変形可能である。ベルト５１のうち第一受け台１２の側面に配置する部分は、一対のカバー１２２によって左右両側から覆われる。ベルト５１のうち第二受け台１３の側面に配置する部分は、一対のカバー１３２によって左右両側から覆われる。
【００３２】
ベルト５１は、第二モータ２２２（図３２参照）によって回転する。ベルト５１は、外側面に設けられた搬送部６０（図１７参照）によって台座２を上流側から下流側に搬送する。以下、ベルト５１、搬送部６０、及び第二モータ２２２を総称し、「搬送機構５０（図１７参照）」ともいう。搬送機構５０の詳細は後述する。
【００３３】
包装装置１の内部構造について、図４から図７を参照して説明する。なお図４では、理解を容易とするために、フィルムロール２２が省略されている。図４及び図５に示すように、包装装置１は台座ガイドローラ７１を備える。台座ガイドローラ７１は、側板部１１１、１１２（図１参照）で挟まれる部分の上流側であって搬送経路１０３の下側に設けられる。台座ガイドローラ７１は、軸部７１１及び複数のローラ部７１２を備える。軸部７１１は左右方向に延びる。複数のローラ部７１２は、軸部７１１の軸方向に等間隔に設けられる。複数のローラ部７１２は、搬送経路１０３に下側から接する。台座ガイドローラ７１は、搬送経路１０３に沿って上流側から下流側に搬送される台座２を、第一受け台１２及び第二受け台１３間で下方から支持し、第二受け台１３から第一受け台１２に誘導する。
【００３４】
包装装置１は、保持ローラ７２を備える。保持ローラ７２の形状は円柱形である。保持ローラ７２は左右方向に延びる。保持ローラ７２の右端部は、保持部７８１によって回転可能に支持される。保持ローラ７２の左端部は、保持部７８２によって回転可能に支持される。以下、保持部７８１、７８２を総称し、「保持部７８」ともいう。保持部７８は揺動可能である。保持部７８は、第六モータ２２６（図３２参照）によって揺動する。図６及び図７に示すように、保持部７８が揺動することによって、台座ガイドローラ７１の下流側に保持ローラ７２が近接配置した状態（図６参照）と、台座ガイドローラ７１に対して保持ローラ７２が下方に離隔した状態（図７参照）とに切り替わる。図６に示すように、台座ガイドローラ７１の下流側に保持ローラ７２が近接配置した場合、保持ローラ７２は、搬送経路１０３に下側から接する。保持ローラ７２は、台座ガイドローラ７１の下流側に近接配置した状態で、フィルムカセット２１から繰り出されたフィルム２４を、台座ガイドローラ７１との間に挟み支持できる。
【００３５】
図４及び図５に示すように、包装装置１は加熱部４０を備える。加熱部４０は、上面にヒータ４１１を備える。加熱部４０は第三モータ２２３（図３２参照）によって上下動可能に設けられる。図４及び図５は、加熱部４０が上方に移動した状態を示している。上方に移動した加熱部４０は、台座ガイドローラ７１の下流側に配置した状態の保持ローラ７２のさらに下流側に配置する。加熱部４０が上方に移動した状態で、ヒータ４１１は搬送経路１０３に下側から近接する。この状態で、ヒータ４１１は、フィルムカセット２１から繰り出されたフィルム２４を加熱して溶融し、台座２に接着する。図６及び図７は、加熱部４０が下方に移動した状態を示している。下方に移動した加熱部４０は、台座ガイドローラ７１に対して下方に離隔した保持ローラ７２の上流側に配置する。この状態で、揺動可能に設けられた蓋部４６がヒータ４１１を上方から覆う。加熱部４０の詳細は後述する。
【００３６】
包装装置１は、切断部７７を備える。切断部７７は、上面から上方に向けて突出する刃部７７１（図４０参照）を備える。刃部７７１は左右方向に延びる。図５に示すように、切断部７７にガイドレール７４が挿通する。ガイドレール７４は、上方に移動した状態の加熱部４０の下流側を、左右方向に延びる。切断部７７は、ガイドレール７４に沿って左右方向に移動可能である。ガイドレール７４の左右両端は、夫々、突出部１１５、１１６内に配置する。キャリッジ（図示外）は、ガイドレール７４の下流側に配置する。キャリッジは、突出部１１５内に設けられた第五モータ２２５（図３２参照）によって駆動する。キャリッジは、切断部７７に接続する。第五モータ２２５が駆動することによって、切断部７７はガイドレール７４に沿って左右方向に移動する。切断部７７がガイドレール７４に沿って左右方向に移動した場合、刃部７７１はフィルム２４を幅方向に切断することができる。
【００３７】
包装装置１は、側板部１１１の内側に、センサ２０４（図３２参照）を備える。センサ２０４は、ベルト５１の外側面に設けられた反射板を検出することが可能な、非接触式の位置センサである。センサ２０４は、ベルト５１の下方に配置し、上方に光を照射する。センサ２０４は、反射板からの反射光を検出することによって、反射板を検出できる。なお、センサ２０４が反射板を検出した場合、ベルト５１に設けられた搬送部６０（図１７参照、後述）は、第二受け台１３の受け面から上方に突出した状態（図１７参照）になる。
【００３８】
包装装置１は、誘導ローラ３１、第一補助ローラ３２、及び第二補助ローラ３３を備える。以下、誘導ローラ３１、第一補助ローラ３２、及び第二補助ローラ３３を総称し、「可動ローラ３０」ともいう。可動ローラ３０の形状は円柱形である。可動ローラ３０は左右方向に延びる。可動ローラ３０の左右方向の長さは、第一受け台１２及び第二受け台１３の左右方向の長さと略同一である。可動ローラ３０は、円筒部及び軸部を備える。軸部は左右方向に延びる。円筒部は、軸部の周壁に沿って設けられる。誘導ローラ３１の円筒部の材料はゴムであり、軸部に固定される。第一補助ローラ３２及び第二補助ローラ３３の円筒部は、軸部に対して回転可能である。第一補助ローラ３２及び第二補助ローラ３３の夫々の円筒部の直径は略同一である。誘導ローラ３１の円筒部の直径は、第一補助ローラ３２及び第二補助ローラ３３の夫々の円筒部の直径よりも大きい。
【００３９】
包装装置１は、支持部３４１、３４２を備える。以下、支持部３４１、３４２を総称し、「支持部３４」ともいう。支持部３４１、３４２は、夫々、可動ローラ３０の軸部の右端及び左端を支持する。誘導ローラ３１の軸部は、支持部３４に対して回転可能である。第一補助ローラ３２及び第二補助ローラ３３の軸部は、支持部３４に固定される。支持部３４は、右側面視略逆Ｌ字状の板状部材である。誘導ローラ３１は、支持部３４１、３４２の夫々のうち、搬送方向に延びる部分の下流側の端部で支持される。第一補助ローラ３２は、支持部３４１、３４２の夫々のうち、誘導ローラ３１が支持される部分の上流側の近傍で支持される。第二補助ローラ３３は、支持部３４１、３４２の夫々のうち、搬送方向に延びる部分と上下方向に延びる部分との交差部分で支持される。このため図６及び図７に示すように、誘導ローラ３１、第一補助ローラ３２、及び第二補助ローラ３３は、下流側から上流側に順番に並んだ状態になる。誘導ローラ３１及び第一補助ローラ３２の円筒部の下端の上下方向の位置は略同一である。第二補助ローラ３３の円筒部の下端の上下方向の位置は、誘導ローラ３１及び第一補助ローラ３２の円筒部の上端の上下方向の位置よりも上側に配置する。
【００４０】
支持部３４１、３４２の夫々のうち、上下方向に延びる部分に、上下方向に並んだ複数の穴が設けられる。図２に示すように、支持部３４１の上下方向に延びる部分に設けられた穴に、支持板部３５１が螺子で固定される。支持板部３５１は、支持部３４１の右側面から右側に延びる。支持部３４２の上下方向に延びる部分に設けられた穴に、支持板部３５２が螺子で固定される。支持板部３５２は、支持部３４１の左側面から左側に延びる。上述したように、支持板部３５１、３５２は、夫々、突出部１１３、１１４の内部に設けられたキャリッジに接続する。第一モータ２２１（図３２参照）が駆動することによってキャリッジは上下方向に移動し、支持板部３５１、３５２は上下方向に移動する。これによって支持部３４は上下方向移動する。
【００４１】
図６は、支持部３４が最上位に配置した状態を示している。この状態で、支持部３４１、３４２の夫々のうち上下方向に延びる部分は、フィルムロール２２を収容するフィルムカセット２１（図１参照）の上流側近傍に配置する。また、支持部３４１、３４２の夫々のうち搬送方向に延びる部分は、フィルムカセット２１の下方に配置する。可動ローラ３０はフィルムカセット２１の下方に配置する。
【００４２】
図７は、支持部３４１、３４２が最下位に配置した状態を示している。この状態で、支持部３４１、３４２の夫々のうち搬送方向に延びる部分は、搬送経路１０３の下側に配置する。誘導ローラ３１は、切断部７７が挿通するガイドレール７４の上方に配置する。誘導ローラ３１と第一補助ローラ３２との間に、切断部７７から上方に延びる刃部７７１が配置する。誘導ローラ３１の円筒部は、搬送経路１０３に下側から接する。第二補助ローラ３３は、台座ガイドローラ７１の上方近傍に配置する。第一補助ローラ３２及び第二補助ローラ３３は、夫々、支持部３４の移動によって上下方向に移動する誘導ローラ３１の経路と搬送経路１０３とが交差する位置の上流側近傍に配置する。
【００４３】
以下、支持部３４の移動によって上下方向に移動する誘導ローラ３１の経路を、「移動経路１０４」という。誘導ローラ３１が移動経路１０４に沿って最下位に移動した場合、誘導ローラ３１は搬送経路１０３の下側に配置する。搬送経路１０３と移動経路１０４とは交差する。搬送経路１０３と移動経路１０４とが交差する位置を、「交差位置１０５」という。
【００４４】
なお、移動経路１０４の方向は変更できる。例えば支持部３４は、搬送経路１０３の垂直方向に対して傾斜する方向に移動してもよい。この場合、移動経路１０４は、搬送経路１０３の垂直方向に対して傾斜する方向に延びる。また、フィルムロール２２に対する誘導ローラ３１の位置は、フィルムロール２２の下方以外の位置に変更できる。例えば誘導ローラ３１は、フィルムロール２２に対して下方且つ上流側に設けられてもよいし、下方且つ下流側に設けられてもよい。
【００４５】
第一補助ローラ３２及び第二補助ローラ３３の円筒部の材料はゴムであってもよい。第一補助ローラ３２及び第二補助ローラ３３の円筒部は、軸部に対して固定されていてもよい。支持部３４は、第一補助ローラ３２及び第二補助ローラ３３を回転可能に支持してもよい。誘導ローラ３１、第一補助ローラ３２、及び第二補助ローラ３３の軸部は、略水平に並んでいてもよい。
【００４６】
包装装置１は、回転抑制部８０を備える。回転抑制部８０は、最下位に配置した状態の支持部３４によって支持された誘導ローラ３１の下流側、且つ、第一受け台１２の上流側に配置する。回転抑制部８０はストッパ８１を備える。ストッパ８１は、第四モータ２２４（図３２参照）が駆動することによって、搬送方向に移動可能である。ストッパ８１が上流側に移動した場合、最下位に配置した状態の支持部３４によって支持された誘導ローラ３１に接触する位置に配置する。ストッパ８１は、誘導ローラ３１の回転を禁止させることができる。回転抑制部８０の詳細は後述する。
【００４７】
図８及び図９を参照し、加熱部４０の詳細について説明する。加熱部４０は、三つの加熱ユニット４１、保持部４２、及び台座部４３を備える。加熱ユニット４１は、フィルム２４に接触してフィルム２４を加熱する。保持部４２は、３つの加熱ユニット４１を保持する。台座部４３は、保持部４２を下方から支持すると同時に、第三モータ２２３の駆動力を保持部４２に伝達し、加熱部４０全体を上下方向に移動させる。
【００４８】
図８に示すように、加熱ユニット４１は、略直方体状の本体部４１３を備える。本体部４１３の上面に、ヒータ４１１が設けられる。ヒータ４１１は金属板によって構成される。ヒータ４１１は、電流を流すことによって加熱する、抵抗加熱方式のヒータである。ヒータ４１１は、本体部４１３の上面の搬送方向略中央部分を、左右方向に直線状に延びる。本体部４１３の上面且つヒータ４１１の上流側に、支持部４１４が設けられる。支持部４１４は、本体部４１３の上面の上流側の端部を、左右方向に直線状に延びる。支持部４１４は、本体部４１３の上面から上方に僅かに突出する。本体部４１３の下面に、二つのばね４１２が設けられる。ばね４１２は、コイル状の圧縮ばねである。二つのばね４１２は、本体部４１３の下面の右端部及び左端部に接続する。二つのばね４１２は左右方向に並ぶ。本体部４１３の下流側の側面に二つの穴４１５が設けられる。
【００４９】
保持部４２は、側面視略Ｕ字状に曲折した板状部材である。保持部４２には、左右方向に延びる溝４２２が形成される。保持部４２の上流側の板状部と下流側の板状部との間の長さは、加熱ユニット４１の本体部４１３の搬送方向の長さよりも僅かに長い。保持部４２の上流側及び下流側の板状部の上下方向の長さは、加熱ユニット４１の本体部４１３の上下方向の長さよりも短い。保持部４２の下流側の板状部に、上下方向に長い六つの長穴４２１が設けられる。
【００５０】
図９に示すように、三つの加熱ユニット４１は、保持部４２の溝４２２内に配置する。三つの加熱ユニット４１は左右方向に一直線状に並ぶ。加熱ユニット４１の本体部４１３の穴４１５に対し、保持部４２の長穴４２１を介して下流側から螺子が取り付けられる。加熱ユニット４１は、長穴４２１の上下方向の長さ分、上下方向に移動可能となる。ばね４１２は、保持部４２の下側の板状部に接触し、本体部４１３を上方に付勢する。三つの加熱ユニット４１の夫々の本体部４１３の上面は、保持部４２の上流側及び下流側の板状部の上端よりも上方に突出する。三つの加熱ユニット４１の夫々の本体部４１３の上面は、搬送経路１０３と平行になる。本体部４１３に設けられた複数のばね４１２は、左右方向に一直線状に並ぶ。即ちばね４１２は、搬送方向と直交する方向且つ搬送経路１０３に平行な方向に並んでいる。
【００５１】
保持部４２の下方に台座部４３が設けられる。台座部４３は、保持部４２を下方から支持する。台座部４３の下流側の側面の左右両端に、ラックギア４３１が設けられる。ラックギア４３１は、下流側に歯を向けた状態で、上下方向に延びる。底部１０（図１参照）の上方、且つ、側板部１１１、１１２間に挟まれた部分に、第三モータ２２３（図３２参照）が設けられる。第三モータ２２３の回転駆動力を伝達するピニオンギアが設けられる。ピニオンギアは、ラックギア４３１に嵌合する。第三モータ２２３が回転することで、台座部４３は上下方向に移動する。これによって、台座部４３の上方に設けられた保持部４２、及び、保持部４２によって保持された状態の三つの加熱ユニット４１（即ち、加熱部４０）も同様に上下方向に移動する。
【００５２】
第三モータ２２３によって加熱部４０が最上位に配置した状態で、三つの加熱ユニット４１の夫々の本体部４１３の上面は、搬送経路１０３に近接する。具体的には、第三モータ２２３によって加熱部４０が移動し、最上位に配置した状態で、三つの加熱ユニット４１の本体部４１３の上面は、搬送経路１０３に対して僅かに上方に配置する。支持部４１４の上面は、更に上方に配置する。一方、第三モータ２２３によって加熱部４０が移動し、最下位に配置した状態で、三つの加熱ユニット４１の夫々の本体部４１３の上面は、搬送経路１０３から離隔する。
【００５３】
図１０から図１２を参照し、回転抑制部８０の詳細について説明する。回転抑制部８０は台座部８８を備える。台座部８８は、左右方向を長手方向とする平面視略長方形の板状部材である。台座部８８は、底部１０（図１参照）の上方、且つ、側板部１１１、１１２（図１参照）間に挟まれた部分に固定される。台座部８８の上面に、支持部８４及び二つの軸支持部８７が設けられる。支持部８４及び二つの軸支持部８７の上面は、上板８９（図１、図４、及び図５参照）で覆われる。
【００５４】
支持部８４は箱体であり、左右方向に延びる。支持部８４の左右中央部分は、下流側に凹んでいる。凹んだ部分の下流側に、支持部８４の下面に平行に延びる板体８４１が架け渡される。板体８４１の左右中央部分から、円筒状の突出部８５が上方に突出する。支持部８４の左右両端部分の夫々に、搬送方向に貫通する穴８４２が設けられる。支持部８４の上流側の側面のうち、穴８４２が設けられている部分の内側から上流側に向けて、二つの支持棒８２が延びる。支持部８４の右側の穴８４２及び左側の穴８４２の夫々の内側から延びる二つの支持棒８２の上流側の端部に、ストッパ８１が設けられる。ストッパ８１の形状は、断面形状が四角形の棒状である。ストッパ８１は左右方向に延びる。ストッパ８１の左右方向の長さは、支持部８４の左右方向の長さと略同一である。ストッパ８１は、上流側の側面にゴム８１１を備える。
【００５５】
二つの軸支持部８７は、夫々、台座部８８の左右両端部分に設けられる。二つの軸支持部８７は、夫々、上方に延びる板状部を上流側及び下流側に備える。夫々の板状部は、搬送方向に延びる軸８６の搬送方向両端部を支持する。軸８６は、支持部８４に設けられた穴８４２に挿通する。支持部８４は、左右二つの軸８６に沿って搬送方向に移動可能である。軸支持部８７の下流側の板状部と支持部８４との間に、ばね８３が介在する。ばね８３、コイル状の圧縮ばねである。ばね８３は、支持部８４を上流側に付勢する。
【００５６】
台座部８８にカム８５１が設けられる。カム８５１は、台座部８８の下方に設けられた第四モータ２２４（図３２参照）から上方に向けて延びる回転軸に接続する。カム８５１は、支持部８４のうち下流側に凹んだ部分且つ板体８４１の上流側に配置する。カム８５１の円周部は、板体８４１から上方に突出する突出部８５に接触する
【００５７】
第四モータ２２４が駆動することによってカム８５１が回転した場合、支持部８４の位置は、上流側に移動した状態（図１１参照）と下流側に移動した状態（図１２参照）とに切り替わる。具体的には次の通りである。
【００５８】
図１１に示すように、カム８５１の円周部のうち中心からの距離が短い部分が突出部８５に近接した状態で、支持部８４は、ばね８３の付勢力によって上流側に移動する。支持部８４に接続したストッパ８１は上流側に移動する。この状態から、第四モータ２２４が平面視時計回りに回転する。図１２に示すように、カム８５１の円周部のうち中心からの距離が長い部分が突出部８５と接触した状態で、支持部８４は、ばね８３の付勢力に反発して下流側に移動する。支持部８４に接続したストッパ８１は下流側に移動する。ストッパ８１は、左右方向に延びた状態で平行移動する。
【００５９】
第四モータ２２４が時計回りに更に回転した場合、カム８５１の円周部のうち中心からの距離が短い部分が突出部８５に近接した状態となり、支持部８４はばね８３の付勢力によって上流側に移動する（図１１参照）。
【００６０】
図１３に示すように、支持部３４が最下位に配置した状態でストッパ８１が上流側に移動した状態（図１１参照）で、ストッパ８１のゴム８１１は、誘導ローラ３１の円筒部に接触可能な位置に配置する。支持部８４がばね８３によって上流側に付勢され、ストッパ８１のゴム８１１は誘導ローラ３１側に強く押し付けられる。ストッパ８１の延びる方向と、誘導ローラ３１の軸部の延びる方向とは同一であるため、ストッパ８１のゴム８１１は誘導ローラ３１側に左右均一に押し付けられる。ゴム８１１の摩擦係数は大きいので、ゴム８１１と誘導ローラ３１との間の摩擦力によって誘導ローラ３１の回転は禁止される。さらに、誘導ローラ３１の軸部が支持部３４に押し付けられることで、誘導ローラ３１の回転は禁止される。
【００６１】
一方、ストッパ８１が下流側に移動した状態（図１２参照）で、ストッパ８１のゴム８１１は誘導ローラ３１の円筒部から離隔する。このため、誘導ローラ３１は自由に回転可能な状態になる。
【００６２】
加熱部４０の上面を覆う蓋部４６について説明する。図１４は、加熱部４０、蓋部４６、及び回転抑制部８０の配置を示している。加熱部４０は最下位に配置し、回転抑制部８０のストッパ８１は下流側に配置する。保持部７８は揺動し、保持ローラ７２は台座ガイドローラ７１に近接する。最下位に配置した加熱部４０の三つの加熱ユニット４１（図９参照）の上面を、蓋部４６が覆う。蓋部４６は、左右方向を長手方向とする略長方形の板状部材である。蓋部４６が加熱ユニット４１の上面を覆った状態で、蓋部４６の平面は略水平となる。
【００６３】
略水平となった状態の蓋部４６の上流側の左右両端部に、揺動軸４６１が設けられる。揺動軸４６１は、加熱部４０の上流側を上下方向に延びる板状部材に対して蓋部４６を揺動可能に軸支する。揺動軸４６１は左右方向に延び、蓋部４６のうち揺動軸４６１によって軸支された側と反対側が上下動するように、蓋部４６を支持する。
【００６４】
夫々の揺動軸４６１に、ばね４６２が設けられる。ばね４６２は、蓋部４６のうち揺動軸４６１によって軸支された側と反対側、即ち、略水平となった状態の蓋部４６の下流側の端部を、下方向に付勢する。蓋部４６は、最下位に配置した状態の加熱部４０の三つの加熱ユニット４１の上面に押し付けられる。蓋部４６の揺動軸４６１の上下方向の位置は、最下位に配置した状態の加熱部４０の三つの加熱ユニット４１の上面の位置と略同一である。このため、加熱ユニット４１の上面を蓋部４６が覆った状態で、蓋部４６の平面は略水平となる。略水平となった状態の蓋部４６の下流側の端部（以下、「反対側端部」という。）は、斜め上方向に僅かに曲折する。
【００６５】
図８及び図９に示すように、三つの加熱ユニット４１の夫々の本体部４１３の上面に設けられた支持部４１４は、ヒータ４１１に対して上方に僅かに突出している。このため、加熱部４０が最下位に配置し、三つの加熱ユニット４１の上面に蓋部４６が押し付けられた場合、蓋部４６は支持部４１４に接触する。蓋部４６は、ヒータ４１１に直接接触しない。
【００６６】
図１５及び図１６は、加熱部４０が上昇して最上位に配置した場合の、加熱部４０及び回転抑制部８０の配置を示している。図１６に示すように、加熱部４０が最下位に配置した状態で略水平であった蓋部４６（図１４参照）は、加熱部４０が最上位に上昇する過程で、加熱ユニット４１の上面の支持部４１４によって下方から上方に押される。蓋部４６は、ばね４６２の付勢力に逆らって、揺動軸４６１を軸心として揺動する。蓋部４６の反対側端部は上方に移動する。蓋部４６の反対側端部は、加熱部４０の保持部４２の上流側の板状部材に側方から接触した状態になる。蓋部４６は略垂直状態になる。蓋部４６は、加熱ユニット４１の上面から離隔し、ヒータ４１１を覆わない。
【００６７】
また、加熱部４０が最上位に配置した状態から下降し、最下位に配置する過程で、蓋部４６はばね４６２の付勢力によって略水平状態に戻る。蓋部４６は、加熱ユニット４１の上面を覆った状態になる。なお、蓋部４６の反対側端部は曲折している。このため、加熱部４０が下降して最下位に配置する過程で、蓋部４６の反対側端部は、保持部４２の上流側の板状部材の表面に引っかからず、加熱部４０の下降を妨げない。
【００６８】
図１７から図２１を参照し、搬送機構５０の詳細について説明する。搬送機構５０は、ベルト５１、搬送部６０、及び駆動部５５を備える。駆動部５５はベルト５１を駆動する。搬送部６０はベルト５１に接続する。搬送部６０は、ベルト５１の回転に伴って台座２を搬送する。
【００６９】
図１７及び図１８に示すように、ベルト５１は無端状であり、内側面に歯を有する。ベルト５１は、第一受け台１２及び第二受け台１３の夫々の右側面に配置するベルト５１１、及び、第一受け台１２及び第二受け台１３の夫々の左側面に配置するベルト５１２を備える。ベルト５１１はプーリ５２（プーリ５２１〜５２７）間に架設され、ベルト５１２はプーリ５３（プーリ５３３〜５３５）間に架設される。図１７では、ベルト５１を覆うカバー１２２、１３２（図１参照）は省略されている。カバー１２２、１３２のうち受け面側の部分は開口する。ベルト５１は、開口から受け面側に露出する。なお以下、ベルト５１のうちカバー１２２、１３２の開口から露出する部分を「ベルト５１の露出部分」という。
【００７０】
プーリ５２１は、第一受け台１２の右側面の下流側に設けられる。プーリ５２７は、第二受け台１３の右側面の上流側に設けられる。プーリ５２３、５２４、５２５は、夫々、側板部１１１（図１参照）の左側面の下流側、搬送方向略中央、及び上流側に設けられる。プーリ５２４は外側面に歯を有し、ベルト５１１の内側の歯と係合する。
【００７１】
第一受け台１２及び第二受け台１３の受け面が略水平となった状態で、プーリ５２１、５２７の軸心の上下方向の位置は同一となる。プーリ５２１、５２７は搬送経路１０３に平行に配置する。プーリ５２３、５２５の軸心は、プーリ５２１、５２７の軸心よりも下方に位置する。プーリ５２４の軸心は、プーリ５２３、５２５の軸心よりも下方に位置する。プーリ５２１、５２４、５２７は、夫々、ベルト５１１の内側面に接触し、プーリ５２３、５２５は、夫々、ベルト５１１の外側面に接触する。
【００７２】
第一受け台１２の左側面の下流側、及び、第二受け台１３の左側面の上流側に、プーリ（図示外）が設けられる。プーリ５３３、５３４、５３５は、夫々、側板部１１２（図１参照）の右側面の下流側、搬送方向略中央、及び上流側に設けられる。プーリ５３４は外側面に歯を有し、ベルト５１２の内側の歯と係合する。
【００７３】
第一受け台１２及び第二受け台１３の受け面が略水平となった状態で、プーリ５３３、５３５の軸心は、第一受け台１２及び第二受け台１３の左側面に設けられた複数のプーリ（図示外）の軸心よりも下方に位置する。プーリ５３４の軸心は、プーリ５３３、５３５の軸心よりも下方に位置する。第一受け台１２、及び第二受け台１３の左側面に設けられた複数のプーリ及びプーリ５３４は、夫々、ベルト５１２の内側面に接触し、プーリ５３３、５３５は、夫々、ベルト５１２の外側面に接触する。
【００７４】
プーリ５２、５３の夫々の軸心は左右方向に延びる。プーリ５２、５３の夫々の軸心は平行であり、搬送方向と直交する。プーリ５２４、５３４は、左右方向に延びる軸５９によって連結される。プーリ５２４の右側面から、軸５８１が右方に延びる。軸５８１の先端に平歯車５８が設けられる。第一受け台１２の上流側部分の下側に、第二モータ２２２が設けられる。第二モータ２２２の回転軸は右方に延びる。第二モータ２２２の回転軸の先端に平歯車５６が設けられる。平歯車５６、５８間に、複数の平歯車によって構成された伝達部５７が設けられる。伝達部５７は、平歯車５６の回転駆動力を平歯車５８に伝達する。なお、第二モータ２２２、平歯車５６、５８、及び伝達部５７が駆動部５５に相当する。
【００７５】
駆動部５５は、平歯車５６、５８、及び伝達部５７を介して第二モータ２２２の回転駆動力をプーリ５２４に伝達することによって、プーリ５２４を回転させる。なお、プーリ５２４、５３４間は軸５９によって連結されているので、プーリ５２４が回転することによってプーリ５３４も回転する。プーリ５２４、５３４は、夫々、ベルト５１１、５１２を回転させる。ベルト５１は、右側面視にて反時計回りの方向に回転することによって、台座２を上流側から下流側に搬送することができる。なお以下、台座２を上流側から下流側に搬送する場合における、ベルト５１の露出部分の移動方向（上流側から下流側に向かう方向）を「第一方向」といい、第一方向と反対向きの方向（下流側から上流側に向かう方向）を「第二方向」という。
【００７６】
ベルト５１１、５１２の夫々の外側面に、搬送部６０が設けられる。搬送部６０は、ベルト５１の回転に伴って第二受け台１３上から第一受け台１２上に移動することで、台座２を上流側から下流側に搬送する。搬送部６０は、第一搬送部６１、及び第二搬送部６２を備える。なお以下の説明では、ベルト５１の露出部分に第一搬送部６１、及び第二搬送部６２が設けられた状態について説明する。
【００７７】
図１９に示すように、第一搬送部６１及び第二搬送部６２は、ベルト５１の延びる方向、即ち搬送方向に離隔する。第一搬送部６１は、第二搬送部６２に対して第一方向側に配置する。第一搬送部６１は、第一突出部６１１、第一延設部６１２、及び爪部６１３（図２０参照）を備える。第一突出部６１１は、ベルト５１の外側面に対して鉛直方向且つ外方向に突出する。第一突出部６１１のうち第一方向側の側面は、第一方向に向けて斜め下方向に傾斜する。第一突出部６１１のうちベルト５１と接続する側と反対側の端部、且つ、第二方向側（即ち第二搬送部６２と対向する側）の側面から、第二方向に向けて第一延設部６１２が延びる。第一延設部６１２はベルト５１と平行に延びる。第一突出部６１１のうちベルト５１と接続する側と反対側の端部に、有底状の穴が設けられる。穴の底面に貫通穴が設けられる。爪部６１３（後述）は、貫通穴に挿通する螺子によって固定される。
【００７８】
ベルト５１と第一延設部６１２とで挟まれる部分に空間が形成される。第一搬送部６１は、第二方向側の側面のうちベルト５１に近接する部分が、第一方向側に凹んだ形状になる。第一突出部６１１及び第一延設部６１２の左右方向の長さは、ベルト５１の左右方向の長さと略同一である。第一延設部６１２のベルト５１側の端部と、受け面に平行な平面（搬送経路１０３）との間の長さＳは、台座２の板状部９０（図２３参照、後述）の厚みよりも僅かに大きい。
【００７９】
図２０に示すように、第一突出部６１１のうちベルト５１と接触する側の部分に爪部６１３が設けられる。爪部６１３は、第一爪部及び第二爪部を備える。第一爪部は、第一突出部６１１のうちベルト５１と接触する面（以下、「底面」という。）の第二方向側の左右両側の夫々から、ベルト５１側に延びる。第一爪部は、ベルト５１の幅方向の両外側の夫々に配置する。第二爪部は、第一爪部の先端からベルト５１の幅方向の内側に向けて延び、ベルト５１の歯と係合する。爪部６１３は、第一突出部６１１の底面と第二爪部との間にベルト５１を挟むことによって、第一搬送部６１をベルト５１に固定する。
【００８０】
第一突出部６１１は、底面がベルト５１の接線方向と同一方向に延びる状態で、ベルト５１に固定される。このため、ベルト５１のうち爪部６１３によって第一搬送部６１が固定された部分が、プーリ５２１に巻き付いて曲折した場合、第一突出部６１１の底面の第一方向側はベルト５１から離れる。
【００８１】
上述したように、ベルト５１は繊維とウレタンゴム等の複合材であり、弾性変形可能である。従って、第一搬送部６１の第一方向側の端部に対してベルト５１側への力が加わった場合、図２１に示すように、ベルト５１のうち第一搬送部６１の第一方向側の端部と接触する部分は、内側に撓む。ベルト５１が内側に撓むことによって、受け面に平行な平面（搬送経路１０３）に対する第一突出部６１１の突出方向は、鉛直方向から第一方向側に傾く。
【００８２】
図１９に示すように、第二搬送部６２は、第二突出部６２１、第二延設部６２２、及び爪部６２３（図２０参照）を備える。第二突出部６２１は、ベルト５１の外側面に対して鉛直方向且つ外方向に突出する。第二突出部６２１は、第一搬送部６１の第一突出部６１１に対して第二方向に所定の第一距離Ｐ（図１８参照）分離隔した部分に設けられる。なお第一距離Ｐは、台座２の第一辺９０１と、第一辺９０１に近接する底面部９２（図２２参照、後述）との間の長さ、より具体的には、台座２の第一辺９０１と、一対の第一底面切れ目９２１のうち第一辺９０１に近接する側との間の長さよりも僅かに長い。第二突出部６２１のうちベルト５１と接続する側と反対側の端部、且つ、第一方向側（即ち第一搬送部６１と対向する側）の側面から、第一方向に向けて第二延設部６２２が延びる。第二延設部６２２はベルト５１と平行に延びる。第二延設部６２２のうち、ベルト５１に近接する側と反対側の端面及び第一方向側の側面が交差する角部６２４は、円弧状に湾曲する。
【００８３】
ベルト５１と第二延設部６２２とで挟まれる部分に空間が形成される。第二搬送部６２は、第一方向側の側面のうちベルト５１に近接する部分が、第二方向側に凹んだ形状になる。第二突出部６２１及び第二延設部６２２の左右方向の長さは、ベルト５１の左右方向の長さと略同一である。第二延設部６２２のベルト５１側の端部と、受け面に平行な平面との間の長さＳは、第一延設部６１２のベルト５１側の端部と、受け面に平行な平面との間の長さＳと同一である。
【００８４】
第二突出部６２１のうちベルト５１と接続する側と反対側の端部に、有底状の穴が設けられる。穴の底面に貫通穴が設けられる。爪部６２３（後述）は、貫通穴に挿通する螺子によって固定される。
【００８５】
図２０に示すように、第二突出部６２１のうちベルト５１と接触する部分に爪部６２３が設けられる。爪部６２３は、第一爪部及び第二爪部を備える。第一爪部は、第二突出部６２１のうちベルト５１と接触する底面の左右両側の夫々から、ベルト５１側に延びる。第一爪部及び第二爪部の形状は、第一搬送部６１の爪部６１３の第一爪部及び第二爪部と同一であるため、説明を省略する。爪部６２３は、第二突出部６２１の底面と第二爪部との間にベルト５１を挟むことによって、第二搬送部６２をベルト５１に固定する。
【００８６】
図２２から図２８を参照し、包装装置１によって包装される物品３が載置される台座２について説明する。台座２は、縦長の八角形状の板体である板状部９０を、曲折部９１１、９１２で折り曲げることによって作製される。台座２の一例として、ダンボール台紙が挙げられる。
【００８７】
図２２に示すように、板状部９０は、左右方向を長手方向とし、且つ搬送方向を短手方向とする平面視で縦長の八角形状の板状部材であり、上下方向に厚さを有する。また、板状部９０は、対向する二つの辺である第一辺９０１、第二辺９０２（以下、第一辺９０１、第二辺９０２の組を「第一組９０８」ともいう。）及び第一辺９０１及び第二辺９０２の対向方向と直交する方向において互いに対向する二つの辺である第三辺９０３、第四辺９０４（以下、第三辺９０３、第四辺９０４の組を「第二組９０９」ともいう）を備える。第一辺９０１、第二辺９０２は板状部９０の長手方向に延びる辺であり、第三辺９０３、第四辺９０４は板状部９０の短手方向に延びる辺である。第一辺９０１、第二辺９０２の対向方向は搬送方向である。また、第一辺９０１と第三辺９０３との間に傾斜部９１７が形成され、第一辺９０１と第四辺９０４との間に傾斜部９１８が形成され、第二辺９０２と第三辺９０３との間に傾斜部９１９が形成され、第二辺９０２と第四辺９０４との間に傾斜部９２０が形成されている。曲折部９１１、９１２は、対向する第一辺９０１、第二辺９０２間を搬送方向に直線状に延びる。曲折部９１１は、板状部９０の長手方向を略四等分する三つの四等分線のうち、第三辺９０３に近接する四等分線の位置に配置する。曲折部９１１は、第一辺９０１、第二辺９０２の夫々と、交点９１３、９１４で交差する。曲折部９１２は、三つの四等分線のうち、第四辺９０４に近接する四等分線の位置に配置する。曲折部９１２は、第一辺９０１、第二辺９０２の夫々と、交点９１５、９１６で交差する。曲折部９１１、９１２の延びる方向は互いに平行である。なお、曲折部９１１、９１２間の長さは、第一受け台１２（図１参照）及び第二受け台１３（図１参照）の左右方向の長さよりも僅かに大きい。
【００８８】
図２２に示すように、板状部９０は上面と下面の間に中芯９７３を備える。言い換えると、中芯９７３は、板状部９０の厚さ方向である上下方向において互いに対向する１対の対向面の間に設けられる。中芯９７３は、例えば１枚の板紙から形成され、複数の山部９７４及び谷部９７５を構成要素として備える。各山部９７４は上側が丸みを帯びる形状をなし、各谷部９７５は下側が丸みを帯びる形状をなす。各山部９７４及び各谷部９７５は、左右方向に沿って延設され、板状部９０の搬送方向の上流側端部から下流側端部に亘って交互に配置されている。中芯９７３は波形状に形成される。上述のように、曲折部９１１、９１２は搬送方向に延びる。即ち、曲折部９１１、９１２の延設方向と、各山部９７４及び各谷部９７５の延設方向とは平面視で直交する。曲折部９１１、９１２の延設方向は、各山部９７４及び各谷部９７５の延設方向と直交していなくてもよく、交差していればよい。尚、図２２においては、板状部９０の左方、且つ搬送方向下流側の部分にある中芯９７３のみを図示し、各山部９７４の上端部及び各谷部９７５の下端部を実線で図示している。
【００８９】
以下、板状部９０のうち曲折部９１１、９１２間に挟まれた部分を、第一板状部９０５といい、曲折部９１１と第三辺９０３との間に挟まれた部分、及び、曲折部９１２と第四辺９０４との間に挟まれた部分を、夫々、第二板状部９０６、９０７という。
【００９０】
板状部９０は、曲折部９１１、９１２の部分で凹んでおり、使用者は、板状部９０の第三辺９０３、第四辺９０４の夫々を持って左右方向内側に力を加えることで、板状部９０を曲折部９１１、９１２に沿って容易に折り曲げることができる。
【００９１】
曲折部９１１、９１２の夫々を搬送方向に略四等分する夫々の点に、下流側から上流側に向けて順番に、底面部９２、側面部９３、及び底面部９２が設けられる。つまり、板状部９０には、四つの底面部９２と、二つの側面部９３が設けられる。曲折部９１１に設けられた二つの底面部９２のうち、一方の底面部９２は交点９１３に近接し、他方の底面部９２は交点９１４に近接する。曲折部９１２に設けられた二つの底面部９２のうち、一方の底面部９２は交点９１５に近接し、他方の底面部９２は交点９１６に近接する。曲折部９１１、９１２の夫々に設けられた側面部９３は、曲折部９１１、９１２の夫々の搬送方向略中央に配置される。
【００９２】
四つの底面部９２の夫々は、複数の切れ目（一対の第一底面切れ目９２１、第二底面切れ目９２２、第三底面切れ目９２３）、及び穴９２４を備える。一対の第一底面切れ目９２１の夫々は、曲折部９１１又は曲折部９１２から左右方向内側に延びる。一対の第一底面切れ目９２１の夫々の間隔は、左右方向内側に向けて徐々に小さくなる。一対の第一底面切れ目９２１のうち搬送方向外側の切れ目の夫々は、曲折部９１１、９１２の夫々に対して平面視で直交する方向に延びる。
【００９３】
第二底面切れ目９２２及び第三底面切れ目９２３は、夫々、一対の第一底面切れ目９２１の間を、搬送方向に延びる。各一対の第一底面切れ目９２１及び各第二底面切れ目９２２からなる各切れ目は、平面視で台形形状を形成する。一対の第一底面切れ目９２１の左右方向内側の端部間に延びる切れ目が、第三底面切れ目９２３である。第三底面切れ目９２３よりも左右方向外側に延びる切れ目が、第二底面切れ目９２２である。一対の第一底面切れ目９２１、第二底面切れ目９２２、及び第三底面切れ目９２３で囲まれた部分に、夫々、穴９２４が設けられる。
【００９４】
複数の側面部９３の夫々は、複数の切れ目（一対の第一側面切れ目９３１、第二側面切れ目９３２、第三側面切れ目９３３）、及び穴９３４を備える。一対の第一側面切れ目９３１の夫々は、曲折部９１１、９１２の夫々から左右方向外側に延びる。一対の第一側面切れ目９３１の夫々は略平行に延びる。一対の第一側面切れ目９３１の夫々は、曲折部９１１、９１２の夫々に対して平面視で直交する方向に延びる。
【００９５】
第二側面切れ目９３２及び第三側面切れ目９３３は、夫々、一対の第一側面切れ目９３１の間を、搬送方向に延びる。一対の第一側面切れ目９３１の左右方向外側の端部間に延びる切れ目が、第三側面切れ目９３３である。第三側面切れ目９３３よりも左右方向内側に延びる切れ目が、第二側面切れ目９３２である。一対の第一側面切れ目９３１、第二側面切れ目９３２、及び第三側面切れ目９３３で囲まれた部分に、夫々、穴９３４が設けられる。
【００９６】
曲折部９１１に設けられた底面部９２及び側面部９３と、曲折部９１２に設けられた底面部９２及び側面部９３とは、曲折部９１１、９１２から等距離の位置に仮想的に設定した直線９６、即ち、板状部９０の左右方向中央を搬送方向に延びる直線９６に対して線対称となる。
【００９７】
第一板状部９０５には、被載置物である物品の載置可能範囲を示す目印９５１〜目印９５６が設けられている。目印９５１，目印９５２，目印９５３は、曲折部９１１寄りに、曲折部９１１と平行に第一辺９０１から第二辺９０２に向けて形成されている。目印９５１は９０度曲折した目印であり、目印９５２は直線状の目印であり、目印９５３は９０度曲折した目印である。また、目印９５４，目印９５５，目印９５６は、曲折部９１２寄りに、曲折部９１２と平行に第一辺９０１から第二辺９０２に向けて形成されている。目印９５４は９０度曲折した目印であり、目印９５５は直線状の目印であり、目印９５６は９０度曲折した目印である。目印９５１〜目印９５３と目印９５４〜目印９５６とは、直線９６に対して対称となる位置に形成されている。従って、目印９５１〜目印９５６は、矩形の範囲を囲む。また、第二板状部９０６には、被載置物である物品の載置可能高さの範囲を示す目印９５７〜目印９５９が設けられている。目印９５７〜目印９５９は、曲折部９１１と平行に第一辺９０１から第二辺９０２に向けて形成されている。目印９５７は９０度曲折した目印であり、目印９５８は直線状の目印であり、目印９５９は９０度曲折した目印である。また、第二板状部９０７にも、被載置物である物品の載置可能高さの範囲を示す目印９６１〜目印９６３が設けられている。９６１〜目印９６３は、曲折部９１２と平行に第一辺９０１から第二辺９０２に向けて形成されている。目印９６１は９０度曲折した目印であり、目印９６２は直線状の目印であり、目印９６３は９０度曲折した目印である。目印９５１〜目印９５６、目印９５７〜目印９５９及び目印９６１〜目印９６３は、板状部９０の打ち抜き形成時にミシン目として形成すればよい。この場合には、板状部９０の形成と同時に目印９５１〜目印９５６、目印９５７〜目印９５９及び目印９６１〜目印９６３の形成ができ加工の工数が増えることがない。また、目印９５１〜目印９５６、目印９５７〜目印９５９及び目印９６１〜目印９６３は、印刷等で形成してもよい。
【００９８】
また、第一板状部９０５の目印９５１〜目印９５６に囲まれる矩形の範囲には、被載置物である物品のずれを抑制する滑り止め部９２５が形成されている。滑り止め部９２５の一例としては、第一板状部９０５を形成するダンボール台紙等の表面の摩擦係数よりも摩擦係数が大きい樹脂製フィルムを貼り付ければよい。一例としては、シリコン系の樹脂製フィルムを用いることができる。
【００９９】
また、滑り止め部９２５と第一辺９０１との間には、引き起こし部９４０が形成され、滑り止め部９２５と第二辺９０２との間にも、引き起こし部９４０が形成されている。引き起こし部９４０は、切れ目９４１、切れ目９４２、切れ目９４３及び曲折部９４４に囲まれた引き起こし片９４５と、切れ目９４６、切れ目９４７、切れ目９４３及び曲折部９４８に囲まれた引き起こし片９４９とを備える。切れ目９４１、切れ目９４２、切れ目９４６及び切れ目９４７は、第一辺９０１及び第二辺９０２と平行に第一板状部９０５の厚み方向に貫通する切れ目として形成されている。また、切れ目９４３は、第一辺９０１及び第二辺９０２と直交する方向に第一板状部９０５の厚み方向に貫通する切れ目として形成されている。曲折部９４４及び曲折部９４８は、第一板状部９０５に対して凹みとして形成されている。
【０１００】
図２３〜図２６は、板状部９０が曲折部９１１、９１２を境に、左右方向内側に折り曲げられた状態の台座２を示している。第二板状部９０６は曲折部９１１から、第二板状部９０７は曲折部９１２から、夫々、搬送方向に沿ってみた場合に第一板状部９０５と略垂直をなしながら、同一方向に立設する。後述するように、使用者は、第一板状部９０５を台座２の底面側とし、９０７を台座２の右側とし、第二板状部９０６を台座２の左側とする状態で、台座２を第二受け台１３の受け面（図１参照）に載置する。以下、図２３の上側、下側、左斜め下側、及び右斜め上側を、夫々、台座２の上側、下側、右側、及び左側という。図２３の右斜め下側及び左斜め上側を、夫々、搬送方向の上流側及び下流側という。尚、台座２の中芯９７３は、図２２、図２４、及び図２６においてのみ図示され、その他の図面においては省略されている。
【０１０１】
図２３〜図２５に示すように、底面部９２のうち一対の第一底面切れ目９２１及び第二底面切れ目９２２で囲まれた部分は、夫々、第二板状部９０６、９０７のうち、曲折部９１１、９１２側である下端部から、下方に向かって突出する。以下、一対の第一底面切れ目９２１及び第二底面切れ目９２２で囲まれた部分を、「底面突出部９２６」という。底面突出部９２６は、夫々、搬送方向に沿ってみた場合に第一板状部９０５と略垂直をなす。以下、底面突出部９２６の夫々において、曲折部９１１、９１２側を「基端側」ともいい、反対側を「先端側」ともいう。側面部９３のうち一対の第一側面切れ目９３１及び第二側面切れ目９３２で囲まれた部分は、第一板状部９０５のうち、曲折部９１１側である左側の端部及び曲折部９１２側である右側の端部から、左右方向外側に向かって突出する。以下、一対の第一側面切れ目９３１及び第二側面切れ目９３２で囲まれた部分を、「側面突出部９３６」という。側面突出部９３６は、夫々、搬送方向に沿ってみた場合に第二板状部９０６、９０７と略垂直をなす。以下、側面突出部９３６の夫々において、曲折部９１１、９１２側を「基端側」ともいい、反対側を「先端側」ともいう。引き起こし部９４０の引き起こし片９４５及び引き起こし片９４９は、第一辺９０１及び第二辺９０２と平行に引き起こし可能である。即ち、引き起こし片９４５及び引き起こし片９４９は、台座２の搬送方向と直交する方向に引き起こし可能である。
【０１０２】
図２４に示すように、板状部９０を折り曲げた場合、第一板状部９０５及び各側面突出部９３６の内部において、複数の山部９７４及び谷部９７５は、左右方向に延びる。また、図２６に示すように、第二板状部９０６、第二板状部９０７（図３参照）、及び各底面突出部９２６の内部において、複数の山部９７４及び谷部９７５は、上下方向に延びる。
【０１０３】
図２３、図２４に示すように、板状部９０が折り曲げられる場合、中芯９７３も同様に曲折部９１１、９１２を境に折れ曲がる。従って、中芯９７３が有する複数の山部９７４及び谷部９７５は、曲折部９１１、９１２を境に折れ曲がる。第二板状部９０６、９０７の立設状態は、複数の山部９７４及び谷部９７５によって維持される。左右方向に荷重が加えられる場合であっても、第二板状部９０６、９０７は、左右方向に傾倒しにくく、荷重は第二板状部９０６、９０７で分散される。台座２は変形しにくい。また、各側面突出部９３６の内部においては、複数の山部９７４及び谷部９７５は、基端側から先端側へ左右方向に延びる。第一板状部９０５の内部においても、複数の山部９７４及び谷部９７５は、左右方向に延びる。従って、第一板状部９０５に対して左右方向に加えられる荷重は、複数の山部９７４及び谷部９７５によって分散される。台座２は変形しにくい。故に台座２は左右方向における耐荷重性を向上できる。
【０１０４】
また、第二側面切れ目９３２及び曲折部９１１、９１２の延設方向は、複数の山部９７４及び谷部９７５の延設方向と直交する。各側面突出部９３６及び第一板状部９０５に対して左右方向に荷重が加えられる場合であっても、荷重は、複数の山部９７４及び谷部９７５を、左右方向内側に圧縮させる方向に向きやすい。複数の山部９７４及び谷部９７５はさらに折れ曲がりにくい。故に、台座２は左右方向の耐荷重性を更に向上できる。
【０１０５】
また、第二板状部９０６、９０７は、搬送方向に延びる曲折部９１１、９１２に沿って第一板状部９０５と接続する。従って、第二板状部９０６、９０７と第一板状部９０５とは互いに搬送方向における耐荷重性を向上させる。故に、台座２は、搬送方向における耐荷重性を向上できる。
【０１０６】
各底面突出部９２６の内部においては、複数の山部９７４及び谷部９７５は、基端側から先端側へ上下方向に延びる（図２６参照）。第一板状部９０５に物品３（図３４参照）が載置される等、各底面突出部９２６に対して上下方向に荷重が加わる場合であっても、荷重は複数の山部９７４及び谷部９７５に分散される。また、第二板状部９０６、９０７の内部においても、複数の山部９７４及び谷部９７５は上下方向に延びる（図２６参照）。第二板状部９０６、９０７に対して上下方向に荷重が加わる場合であっても、荷重は複数の山部９７４及び谷部９７５に分散される。台座２は変形しにくい。故に、台座２は上下方向における耐荷重性を向上できる。
【０１０７】
さらに、各第二底面切れ目９２２、複数の山部９７４及び谷部９７５は、夫々、曲折部９１１、９１２と直交している。物品３を第一板状部９０５に載置することで各底面突出部９２６の先端部から台座２の内部に作用する荷重は、各底面突出部９２６の内部の複数の山部９７４及び谷部９７５を上下方向内側に圧縮させる方向を向き易い。同様に、側面突出部９３６の先端部から台座２の内部に作用する荷重は、複数の山部９７４及び谷部９７５を上下方向内側に圧縮させる方向を向き易い。複数の山部９７４及び谷部９７５は折れ曲がりにくい。従って、台座２は更に上下方向の耐荷重性を向上できる。
【０１０８】
図２４に示すように、第一板状部９０５には、曲折部９１１、９１２の夫々で、一対の第一底面切れ目９２１、及び第三底面切れ目９２３で囲まれた穴９２７が二つずつ形成される。穴９２７は、板状部９０が折り曲げられることで、穴９２４（図２２参照）が左右方向外側に向かって拡大することで、夫々形成される。
【０１０９】
図２７及び図２８に示すように、板状部９０の第一板状部９０５の下側の面に、フィルム９７が貼付される。フィルム９７は、第一フィルム９７１及び第二フィルム９７２を備える。第一フィルム９７１及び第二フィルム９７２の形状は、左右方向を長手方向とする平面視長方形である。
【０１１０】
交点９１３に近接する底面部９２の一対の第一底面切れ目９２１のうち交点９１３の近傍に配置する第一底面切れ目９２１と、交点９１５に近接する底面部９２の一対の第一底面切れ目９２１のうち交点９１５の近傍に配置する第一底面切れ目９２１との間を結ぶ直線を第一直線９８１とした場合、第一フィルム９７１は、板状部９０の第一板状部９０５のうち、第一辺９０１と第一直線９８１との間に挟まれた部分に貼付される。第一フィルム９７１は、交点９１３に近接する底面部９２の第三底面切れ目９２３の下流側の端部近傍から、交点９１５に近接する底面部９２の第三底面切れ目９２３の下流側の端部近傍に亙って左右方向に延びる。第一フィルム９７１の上流側の端部は、第一直線９８１よりも下流側に配置する。第一フィルム９７１は、底面部９２の切れ目（第一底面切れ目９２１、第二底面切れ目９２２、及び第三底面切れ目９２３）から離隔しており、これらの切れ目に接触しない。
【０１１１】
交点９１４に近接する底面部９２の一対の第一底面切れ目９２１のうち交点９１４の近傍に配置する第一底面切れ目９２１と、交点９１６に近接する底面部９２の一対の第一底面切れ目９２１のうち交点９１６の近傍に配置する第一底面切れ目９２１との間を結ぶ直線を第二直線９８２とした場合、第二フィルム９７２は、板状部９０の第一板状部９０５のうち、第二辺９０２と第二直線９８２との間に挟まれた部分に貼付される。第二フィルム９７２は、交点９１４に近傍する底面部９２の第三底面切れ目９２３の上流側の端部近傍から、交点９１６に近傍する底面部９２の第三底面切れ目９２３の上流側の端部近傍に亙って左右方向に延びる。第二フィルム９７２の下流側の端部は、第二直線９８２よりも上流側に配置する。第二フィルム９７２は、底面部９２の切れ目（第一底面切れ目９２１、第二底面切れ目９２２、及び第三底面切れ目９２３）から離隔しており、これらの切れ目に接触しない。
【０１１２】
第一フィルム９７１及び第二フィルム９７２は、夫々、曲折部９１１、９１２よりも左右方向の内側に貼付される。第一フィルム９７１及び第二フィルム９７２は、曲折部９１１、９１２から離隔しており、曲折部９１１、９１２に接触しない。
【０１１３】
以下、第一フィルム９７１及び第二フィルム９７２を総称し、「フィルム９７」ともいう。フィルム９７は樹脂製のフィルムである。フィルム９７は、接着剤によって板状部９０に貼付される。フィルム９７は、加熱部４０のヒータ４１１によって加熱された場合に溶融する。
【０１１４】
図２９、図３０は、受け台１３に載置された状態の台座２を示している。使用者は、第一搬送部６１のうち、第一延設部６１２とベルト５１との間に挟まれた空間に台座２の第一板状部９０５の第一辺９０１を嵌めるために、上流側から下流側に向けて斜め下方向に台座２を移動させる。台座２の第一板状部９０５の第一辺９０１は、上流側から下流側に向けて斜め下方向に移動し、第一延設部６１２とベルト５１との間に挟まれた空間に進入する。図３１に示すように、第一辺９０１は第一突出部６１１に接触し、第一突出部６１１に対して下流側に力を加える。また、台座２の第一板状部９０５は、第一延設部６１２に下側から接触し、第一延設部６１２に対して上方に力を加える。第一突出部６１１の突出方向は、爪部６１３を支点として下流側に傾く。第一突出部６１１の下流側の端部はベルト５１の内側に移動し、ベルト５１は弾性変形して内側に撓む。第一延設部６１２のベルト５１側の端部と、受け面に平行な平面（搬送経路１０３）との間の長さＳは大きくなる。このため、台座２の第一板状部９０５は、第一延設部６１２とベルト５１との間に挟まれた空間にスムーズに進入する。台座２の第二辺９０２が下方に押し下げられ、台座２の第一板状部９０５は受け面に平行な状態になる。なお、第二搬送部６２の第二延設部６２２の角部６２４は円弧状に湾曲しているため、台座２は、角部６２４に引っ掛かることなくスムーズに押し下げられる。
【０１１５】
図３０に示すように、台座２の第一辺９０１は、第一延設部６１２とベルト５１との間に挟まれた空間に嵌る。第一延設部６１２は、台座２の第一板状部９０５の第一辺９０１を上方から覆った状態になる。第一搬送部６１は、第一受け台１３の左右両側面に配置するベルト５１に設けられているため、台座２の第一板状部９０５の第一辺９０１は、左右両側部分で、第一延設部６１２とベルト５１との間の空間に挟まれた状態になる。
【０１１６】
第一搬送部６１の第一突出部６１１と、第二搬送部６２の第二突出部６２１との間の距離（第一距離Ｐ、図１８参照）は、台座２の第一辺９０１と、第一辺９０１に近接する底面部９２との間の長さよりも僅かに長い。第二搬送部６２の第二突出部６２１は、台座２の底面部９２の切れ目（一対の第一底面切れ目９２１、第三底面切れ目９２３）によって囲まれた穴９２７に嵌る。台座２は、受け面に平行な平面に沿って上流側にわずかに水平移動する。一対の第一底面切れ目９２１のうち下流側は、第二延設部６２２とベルト５１との間に挟まれた空間に進入する。一対の第一底面切れ目９２１のうち下流側は、該空間に嵌る。第二延設部６２２は、一対の第一底面切れ目９２１のうち下流側を上方から覆った状態になる。
【０１１７】
又、台座２は、第一搬送部６１の第一突出部６１１と、第二搬送部６２の第二突出部６２１とで搬送方向両側から挟まれた状態になる。第二搬送部６２は、第一受け台１３の左右両側面に配置するベルト５１に設けられているため、台座２は、左右両側部分で、第一搬送部６１の第一突出部６１１と第二搬送部６２の第二突出部６２１との間に挟まれた状態になる。
【０１１８】
なお、図示されていないが、台座２の第一板状部９０５は第二受け台１３の受け面に接触した状態になるので、第一板状部９０５から下方に突出する底面突出部９２６は、第二受け台１３の受け面の左右両側から下方に突出し、第二受け台１３の左右両側面の外側に配置する。
【０１１９】
図３２を参照し、包装装置１の電気的構成について説明する。包装装置１は、ＣＰＵ２０１、ＲＯＭ２０２、ＲＡＭ２０３、センサ２０４、入力部２０５、及びヒータ４１１を備える。ＣＰＵ２０１は、包装装置１全体の制御を司る。ＣＰＵ２０１は、ＲＯＭ２０２に記憶されたプログラムを実行することによって、台座２に載置された状態の物品３をフィルム２４によって包装する処理（包装処理）を実行する。ＲＯＭ２０２には、ＣＰＵ２０１が実行する包装処理のプログラムが記憶される。ＲＡＭ２０３には、一時的なデータが記憶される。センサ２０４は、ベルト５１の外側面に設けられた反射板を検出する。入力部２０５は、使用者が包装装置１に対して入力操作を行うことが可能な複数の入力ボタンである。包装装置１は、駆動部２１１〜２１６、第一モータ２２１、第二モータ２２２、第三モータ２２３、第四モータ２２４、第五モータ２２５、及び第六モータ２２６を備える。駆動部２１１〜２１６は、夫々、第一モータ２２１〜第六モータ２２６を駆動する。ＣＰＵ２０１は、ＲＯＭ２０２、ＲＡＭ２０３、センサ２０４、ヒータ４１１、及び駆動部２１１〜２１６と電気的に接続する。駆動部２１１〜２１６は、夫々、第一モータ２２１〜第六モータ２２６と電気的に接続する。
【０１２０】
図３３〜図４４を参照し、包装装置１のＣＰＵ２０１によって実行される包装処理について説明する。使用者は、包装装置１を用いて台座２及び物品３をフィルム２４によって包装する作業を行う前に、第一受け台１２及び第二受け台１３（図１参照）の受け面が水平となるように、第一受け台１２及び第二受け台１３を揺動させる。第一受け台１２の受け面及び第二受け台１３の受け面は、搬送経路１０３を形成する。まず、使用者は、台座２の第一板状部９０５の目印９５１〜目印９５６の範囲、且つ、第二板状部９０６の目印９５７〜目印９５９及び第二板状部９０７の目印９６１〜目印９６３の高さ範囲に入るように滑り止め部９２５に物品３を載置する。次いで、使用者は、包装装置１の電源を投入する。包装装置１に電源が投入された場合、ＣＰＵ２０１は、ＲＯＭ２０２に記憶されたプログラムを読み出して実行することによって、包装処理を開始する。
【０１２１】
ＣＰＵ２０１は、包装装置１の状態を初期化する（Ｓ１１）。具体的には次の通りである。ＣＰＵ２０１は、駆動部２１１を制御することによって第一モータ２２１を駆動し、支持部３４を上昇させて最上位に配置させる。これによって、支持部３４によって支持された状態の可動ローラ３０（誘導ローラ３１、第一補助ローラ３２、第二補助ローラ３３）は、最上位に配置する（図３４参照）。ＣＰＵ２０１は、駆動部２１２を制御することによって第二モータ２２２を駆動し、搬送機構５０のベルト５１（図１７参照）を回転させる。ＣＰＵ２０１は、センサ２０４が反射板を検出した場合、駆動部２１２を制御して第二モータ２２２の駆動を停止する。これによって、搬送部６０（第一搬送部６１、第二搬送部６２）を、第二受け台１３の受け面から上方に突出した状態（図１７参照）とする。包装装置１は、使用者が第二受け台１３の受け面に台座２をセットできる状態になる。
【０１２２】
ＣＰＵ２０１は、駆動部２１３を制御して第三モータ２２３を駆動し、加熱部４０を下降させて最下位に配置させる。これによって、加熱ユニット４１の上面のヒータ４１１（図８参照）は、搬送経路１０３から離隔した状態となる（図３４参照）。蓋部４６はばね４６１によって揺動し、加熱ユニット４１の上面の支持部４１４に接触した状態になる。蓋部４６は略水平状態になり、ヒータ４１１を上方から覆う。このため、使用者がメンテナンスのため包装装置１内を触ろうとした場合に、使用者はヒータ４１１に直接触ることができなくなる。
【０１２３】
ＣＰＵ２０１は、駆動部２１４を制御して第四モータ２２４を駆動し、ストッパ８１を下流側に移動させる（図１２参照）。ＣＰＵ２０１は、駆動部２１５を制御して第五モータ２２５を駆動し、切断部７７を左側に移動させる（図４参照）。この状態で、切断部７７の刃部７７１の左右方向の位置は、フィルムカセット２１に収容されたフィルム２４の左端部よりも左側に配置する。ＣＰＵ２０１は、駆動部２１６を制御して第六モータ２２６を駆動し、保持部７８を揺動させる。保持ローラ７２は、台座ガイドローラ７１に対して下方に離隔した状態となる（図７参照）。
【０１２４】
ＣＰＵ２０１は、台座２及び物品３のフィルム２４による包装を開始する指示が、入力部２０５（図３２参照）を介して入力されたか判断する（Ｓ１２）。包装の開始指示が入力されていない場合（Ｓ１２：ＮＯ）、処理はＳ１２に戻る。ＣＰＵ２０１は、開始指示の入力を継続して待ち受ける。
【０１２５】
使用者は、Ｓ１１で包装装置１が初期化された後、フィルムカセット２１のフィルム排出口から排出されたフィルム２４を、第二補助ローラ３３の上流側を通して下方に手動で引き出す。フィルム２４は、第二補助ローラ３３の上流側に接触することで、僅かに上流側に誘導される。使用者は、下方に引き出したフィルム２４の先端を、搬送経路１０３の下側まで引っ張り、台座ガイドローラ７１の下流側に配置する（図３４参照）。
【０１２６】
使用者は、フィルム２４の準備ができたことを包装装置１に通知するための入力操作を、入力部２０５を介して行う。ＣＰＵ２０１は、駆動部２１６を制御して第六モータ２２６を駆動し、保持部７８を揺動させる。保持部７８が揺動することによって、図３４に示すように、保持ローラ７２は台座ガイドローラ７１の下流側に近接配置した状態になる。フィルムカセット２１から引き出されたフィルム２４の先端は、台座ガイドローラ７１及び保持ローラ７２によって搬送方向両側から挟まれる。フィルム２４と搬送経路１０３とは、フィルム２４の先端近傍で交差する。フィルムロール２２にはクラッチばねによってトルクが加えられ、フィルム２４に張力が作用しているので、フィルム２４は、第二補助ローラ３３の上流側と、台座ガイドローラ７１及び保持ローラ７２によって挟まれた部分との間を、上下方向に真っ直ぐに延びた状態になる。
【０１２７】
使用者は、第二受け台１３上に台座２を載置する（図２９〜図３１参照）。台座２は搬送部６０によって位置決めされ、搬送部６０に対する位置は固定される。台座２の第一板状部９０５の第一辺９０１は下流側に配置し、第二辺９０２は上流側に配置する。台座２は、搬送部６０によって搬送方向に搬送可能な状態になる。使用者は、第二受け台１３上に載置した台座２の第一板状部９０５上に、物品３を載置する。使用者は、台座２及び物品３のフィルム２４による包装の開始を指示する入力操作を、入力部２０５を介して行う。
【０１２８】
図３３に示すように、包装を開始する指示が入力された場合（Ｓ１２：ＹＥＳ）、ＣＰＵ２０１は、駆動部２１２を制御して第二モータ２２２を駆動する。ＣＰＵ２０１は、上流側から下流側に台座２が搬送される向きにベルト５１が回転するように、駆動部２１２を制御して第二モータ２２２の回転方向を調整する。第二モータ２２２は、駆動部５５（図１７参照）を介してベルト５１を回転させる。ベルト５１は、第三受け台１３の受け面から上方に突出する搬送部６０（第一搬送部６１、第二搬送部６２）が上流側から下流側に移動する向き（図３４における矢印１４１の方向）に回転する。搬送部６０は、搬送経路１０３に沿って台座２を上流側から下流側に搬送する（Ｓ１３）。
【０１２９】
第一搬送部６１の第一突出部６１１及び第二搬送部６２の第二突出部６２１は、台座２の第一板状部９０５のうち、第一辺９０１と、第一辺９０１に近接する穴９２７との間の部分を搬送方向両側から挟んでいる。このため搬送部６０は、台座２を下流側に適切に搬送することができる。
【０１３０】
以下、台座２を上流側から下流側に搬送させる場合の第二モータ２２２及びベルト５１の回転方向を、「正方向」といい、正方向と逆向きの回転方向を「逆方向」という。
【０１３１】
図３４に示すように、台座２の下流側の端部は、上下方向に延びるフィルム２４に対して徐々に近づく。台座２の第一板状部９０５の下流側の端部（第一辺９０１）はフィルム２４に接触し、その後、保持ローラ７２上を通過する。ＣＰＵ２０１は、駆動部２１２を制御して第二モータ２２２を継続して駆動し、ベルト５１を正方向に継続して回転させる。台座２は、下流側に継続して搬送される。
【０１３２】
図３５に示すように、台座２が下流側に移動する（矢印１４２）ことによって、台座２の第一板状部９０５の第一辺９０１は、フィルム２４を下流側に押す。台座２は更に下流側に移動する。台座２の第一板状部９０５の第一辺９０１は、上流側から移動経路１０４に近づく。台座２は更に下流側に移動し、台座２の第一板状部９０５の第一辺９０１は、加熱部４０の上方を通過する。なお、フィルム２４は、台座ガイドローラ７１及び保持ローラ７２によって先端が挟持されている。台座２の第一板状部９０５の第一辺９０１によってフィルム２４が下流側に押されることで、フィルム２４の先端は台座２の第一板状部９０５の下面に回り込む。
【０１３３】
ＣＰＵ２０１は、台座２の第一板状部９０５の第一辺９０１が加熱部４０の上方位置に対して所定距離分下流側に移動したことを、Ｓ１３（図３３参照）で台座２の下流側への搬送を開始してからの第二モータ２２２の回転数に基づいて検出する。所定距離は、第一板状部９０５の第一辺９０１から第一直線９８１（図２８参照）までの距離と略同一とされる。台座２の第一板状部９０５の第一辺９０１が、加熱部４０の上方位置よりも下流側に所定距離分移動した場合、図３３に示すように、ＣＰＵ２０１は、駆動部２１２を制御して第二モータ２２２の駆動を停止し、台座２の下流側への搬送を停止させる（Ｓ１５）。
【０１３４】
ＣＰＵ２０１は、駆動部２１３を制御して第三モータ２２３を駆動し、加熱部４０を上昇させる（Ｓ１７）。加熱部４０が最上位に配置した状態となった後、ＣＰＵ２０１は、駆動部２１３を制御して第三モータ２２３の駆動を停止し、加熱部４０の上昇を停止させる。図３６に示すように、加熱部４０が最上位まで上昇（矢印１４３）した場合、加熱部４０の加熱ユニット４１（図８参照）の上面は、搬送経路１０３に下方から近接した状態になる。支持部４１４は、台座２との間にフィルム２４を挟み、フィルム２４に対するヒータ４１１の位置を固定する。なお、加熱部４０の上昇に伴い、蓋部４６は、ばね４６２の付勢力に逆らって揺動軸４６１を軸心として揺動する。蓋部４６は略垂直状態となる。蓋部４６のうち揺動軸４６１に対向する端部は、加熱部４０の保持部４２の上流側の板状部に接触した状態になる。蓋部４６は、加熱ユニット４１の上面から離隔する。
【０１３５】
台座２の第一板状部９０５の第一辺９０１は、加熱部４０の上方位置よりも所定距離分下流側に移動している。また、台座２の第一板状部９０５の下面には、フィルム２４が回り込んでいる。このため、加熱部４０が最上位に配置した状態で、加熱ユニット４１の上面は、台座２の第一板状部９０５の下面との間にフィルム２４を挟んだ状態になる。ここで図２８に示すように、台座２の第一板状部９０５の下面のうち、第一辺９０１と第一直線９８１との間には第一フィルム９７１が貼付されている。このため、最上位に移動した状態の加熱部４０の加熱ユニット４１の上面は、台座２に貼付された第一フィルム９７１との間にフィルム２４を挟んだ状態となる。
【０１３６】
図３３に示すように、ＣＰＵ２０１は、加熱部４０のヒータ４１１を加熱する（Ｓ１９）。ヒータ４１１はフィルム２４を加熱し、フィルム２４を溶融する。同時にヒータ４１１は、台座２に貼付された第一フィルム９７１を、フィルム２４を介して加熱し、第一フィルム９７１を溶融する。溶融された状態のフィルム２４及び第一フィルム９７１は良好に接着する。これによってフィルム２４の先端は、第一フィルム９７１を介して、台座２の第一板状部９０５の下面のうち第一辺９０１近傍に接着する（Ｓ１９）。
【０１３７】
ＣＰＵ２０１は、Ｓ１９でヒータ４１１の加熱を開始してから所定時間経過後、ヒータ４１１の加熱を停止する（Ｓ２０）。所定時間は、ヒータ４１１によってフィルム２４及び第一フィルム９７１の温度を融点まで加熱させるために必要な時間である。ＣＰＵ２０１は、駆動部２１３を制御して第三モータ２２３を駆動し、加熱部４０を下降させる（Ｓ２１）。加熱部４０の加熱ユニット４１の上面は、搬送経路１０３から離隔する。加熱部４０が最下位に配置した後、ＣＰＵ２０１は、駆動部２１３を制御して第三モータ２２３の駆動を停止し、加熱部４０の下降を停止させる。図３７に示すように、加熱部４０が最下位まで下降（矢印１４４）した場合、蓋部４６は、ばね４６２の付勢力によって揺動軸４６１を軸心として揺動し、略水平となる。加熱ユニット４１の上面は、蓋部４６によって覆われた状態になる。
【０１３８】
図３３に示すように、ＣＰＵ２０１は、駆動部２１６を制御して第六モータ２２６を駆動し、保持部７８を揺動させる（Ｓ２３）。図３７に示すように、保持部７８が矢印１４５の方向に揺動することによって、保持ローラ７２は台座ガイドローラ７１に対して下方に離隔した状態となる。台座ガイドローラ７１及び保持ローラ７２は、挟んだ状態のフィルム２４の先端を解放する。なお、フィルム２４の先端は、Ｓ１９で加熱されたヒータ４１１によって溶融し、台座２の下面に接着した状態となっている。図３３に示すように、ＣＰＵ２０１は、駆動部２１２を制御して第二モータ２２２を駆動し、ベルト５１を正方向に回転させ、台座２を下流側に搬送させる（Ｓ２５）。
【０１３９】
図３７に示すように、搬送部６０は搬送経路１０３に沿って上流側から下流側に移動し（矢印１４６）、台座２を下流側に搬送する。フィルム２４の先端は台座ガイドローラ７１及び保持ローラ７２から解放されているので、フィルム２４の先端は台座２の下面に接着した状態で、台座２の移動に伴って下流側に移動する。台座２の第一板状部９０５の第一辺９０１は、搬送経路１０３と移動経路１０４とが交差する位置（交差位置１０５）を上流側から下流側に向けて横切る。台座２はさらに下流側に移動する（矢印１４６）。台座２が下流側に移動することによって、台座２の第一板状部９０５の第一辺９０１、及び物品３の下流側の端部は、フィルム２４に押し当てられる。フィルム２４は、台座２の第一板状部９０５の第一辺９０１及び物品３との接触部分で曲折する。フィルムロール２２からフィルム２４が少しずつ繰り出される。フィルムロール２２に加えられたトルクによって、台座２及び物品３にフィルム２４が強く押し当てられる。フィルム２４は、台座２の第一板状部９０５及び物品３の下流側を覆う位置で、台座２及び物品３に密着する。
【０１４０】
このとき、物品３は台座２の第一板状部９０５の滑り止め部９２５に載置されているので、物品３と滑り止め部９２５との摩擦が大きく、フィルム２４のテンションにより物品３がずれて第一板状部９０５から落ちることを抑制できる。また、物品３が滑り止め部９２５からずれた場合にも、引き起こし部９４０の引き起こし片９４５及び引き起こし片９４９の側面に当接する。従って、物品３が第一板状部９０５から落ちることを防止できる。尚、引き起こし片９４５及び引き起こし片９４９の引き起こし方向は、台座２の搬送方向とは直交する方向であるので、物品３の押圧力により引き起こし片９４５及び引き起こし片９４９が第一板状部９０５に押し戻されることが防止できる。
【０１４１】
ＣＰＵ２０１は、駆動部２１２を制御して第二モータ２２２を継続して駆動し、ベルト５１を正方向に継続して回転させる。台座２は、下流側の第一受け台１２まで継続して搬送される。フィルムロール２２にはクラッチばねによってトルクが加えられ、フィルム２４には張力が作用しているので、台座２の下流側への搬送に伴い、フィルム２４の先端が接着した台座２の第一板状部９０５の下流側に対して、上向きの力が作用する。同様に、台座２を搬送する搬送部６０が設けられたベルト５１を、プーリ５２、５３を介して支持する第一受け台１２にも、上向きの力が作用する。これに対し、側板部１１１、１１２の下流側端部に案内部１６の上流側端部が接触することによって、台座２及び第一受け台１２が上方に持ち上がることを防止する。
【０１４２】
台座２が継続して下流側に搬送され、台座２の第一板状部９０５及び物品３の上側を覆う位置にフィルム２４が配置する。フィルムロール２２に加えられたトルクによって、フィルム２４は物品３の上面に密着する。台座２の第一板状部９０５の上流側の端部（第二辺９０２）が、台座ガイドローラ７１上を通過する。さらに台座２が下流側に搬送される（矢印１４６）。台座２の第一板状部９０５の第二辺９０２は、交差位置１０５を上流側から下流側に横切る。フィルムロール２２から延びるフィルム２４は、第二補助ローラ３３の上流側に接触して僅かに上流側に誘導され、上流側及び下側に接触して下流側に延び、第一補助ローラ３２の下側に接触してさらに下流側に延び、台座２の第一板状部９０５の第一辺９０１及び物品３の下流側に至る。誘導ローラ３１は、第一補助ローラ３２と台座２及び物品３との間に延びるフィルム２４の上方に配置した状態になる。
【０１４３】
図３３に示すように、ＣＰＵ２０１は、台座２の第一板状部９０５の第二辺９０２が交差位置１０５よりも下流側に移動したことを、Ｓ２５で台座２の下流側への搬送を開始してからの第二モータ２２２の回転数に基づいて検出する。ＣＰＵ２０１は、台座２の第一板状部９０５の第二辺９０２が交差位置１０５よりも下流側に移動した場合、駆動部２１２を制御して第二モータ２２２の駆動を停止し、台座２の搬送を停止させる（Ｓ２６）。
【０１４４】
なお包装装置１は、交差位置１０５近傍に位置センサを備えていてもよい。ＣＰＵ２０１は、この位置センサが台座２の第一板状部９０５の第二辺９０２を検出した場合、台座２の第一板状部９０５の第二辺９０２が交差位置１０５よりも下流側に移動したと判断してもよい。
【０１４５】
ＣＰＵ２０１は、駆動部２１１を制御して第一モータ２２１を駆動し、支持部３４を下降させる。支持部３４に支持された可動ローラ３０は、最上位から最下位に移動する。誘導ローラ３１は、移動経路１０４に沿って最上位側から最下位側に下降する（Ｓ２７）。誘導ローラ３１は、下方に配置した状態のフィルム２４に上側から接触し、フィルム２４を移動経路１０４に沿って下方に誘導する。
【０１４６】
図３８に示すように、誘導ローラ３１は移動経路１０４に沿って下降し（矢印１４７）、最下位に配置する。誘導ローラ３１は、搬送経路１０３に対して下側から接した状態となる。フィルム２４は、台座２の第一板状部９０５及び物品３の上流側を覆う位置に配置される。フィルム２４は、台座２の第一板状部９０５の第二辺９０２に接触する部分から誘導ローラ３１に向けて延び、誘導ローラ３１の下流側及び下側に接触して上流側に延び、第一補助ローラ３２の下側に接触して更に上流側に延び、第二補助ローラ３３の下側及び上流側に接触してフィルムロール２２に至る。フィルム２４のうち、誘導ローラ３１の下側に接触する部分と第一補助ローラ３２の下端に接触する部分との間の部分は、略水平方向に延び、切断部７７から上方に延びる刃部７７１の上端よりも下方に配置した状態になる。なお、包装装置１が初期化された状態（Ｓ１１参照）では、切断部７７は左側に移動した状態であるため、この時点でフィルム２４と刃部７７１とは接触しない。
【０１４７】
図３３に示すように、ＣＰＵ２０１は、駆動部２１２を制御して第二モータ２２２を駆動し、ベルト５１を逆方向に回転させる。搬送部６０は下流側から上流側に移動し、搬送経路１０３に沿って台座２を上流側に搬送する（Ｓ２９）。台座２は逆方向（下流側から上流側に向かう方向）に搬送されることになる。
【０１４８】
図３９に示すように、台座２が下流側から上流側に移動する（矢印１４８）ことによって、台座２の第一板状部９０５の第二辺９０２は、下流側から交差位置１０５に近づく。台座２の第一板状部９０５の第二辺９０２は、下流側から上流側に向けて交差位置１０５を横切る。台座２の第一板状部９０５の第二辺９０２は、加熱部４０の上方位置を通過し、上流側に移動する。誘導ローラ３１は、台座２の第一板状部９０５の下面に下側から接した状態で、第二辺９０２から下流側に向けて相対的に移動する。台座２の第一板状部９０５の下面と誘導ローラ３１との間には、フィルム２４が挟まれた状態になる。
【０１４９】
図４０に示すように、フィルム２４は、台座２の第一板状部９０５の第二辺９０２に接触する部分から、第一板状部９０５の下面に沿って下流側に延び、誘導ローラ３１に対して上側から巻き付いて方向を変え、誘導ローラ３１の下側から上流側に延び、第一補助ローラ３２の下側に接触してさらに上流側に延び、第二補助ローラ３３の下側及び上流側に接触してフィルムロール２２に至る。
【０１５０】
図３３に示すように、ＣＰＵ２０１は、台座２の第一板状部９０５の第二辺９０２が加熱部４０の上方位置に対して所定距離分上流側に移動したことを、Ｓ２９で台座２の上流側への搬送を開始してからの第二モータ２２２の回転数に基づいて検出する。所定距離は、第一板状部９０５の第二辺９０２から第二直線９８２（図２８参照）までの距離と略同一とされる。台座２の第一板状部９０５の第二辺９０２が加熱部４０の上方位置よりも上流側に所定距離分移動した場合、ＣＰＵ２０１は、駆動部２１２を制御して第二モータ２２２の駆動を停止し、台座２の搬送を停止させる（Ｓ３０）。
【０１５１】
誘導ローラ３１から第一補助ローラ３２及び第二補助ローラ３３を介してフィルムロール２２に延びるフィルム２４は、第一補助ローラ３２及び第二補助ローラ３３がフィルム２４を下側で支持することによって、台座２の第一板状部９０５の第二辺９０２の近傍の下側に配置する。このため、Ｓ２９、Ｓ３０で台座２が上流側に移動しても、フィルム２４は台座２に接触しない。このように第一補助ローラ３２及び第二補助ローラ３３は、台座２が下流側から上流側に搬送された場合に、フィルム２４が台座２に接触することを抑止できる。
【０１５２】
またこの状態で、台座２の第一板状部９０５の第二辺９０２から下面に沿って、フィルム２４が下流側に延びている（図４０参照）。ここで図２８に示すように、台座２の第一板状部９０５の下面のうち、第二辺９０２と第二直線９８２との間には、第二フィルム９７２が貼付されている。このため、フィルム２４のうち、台座２の第一板状部９０５の第二辺９０２から下面に沿って下流側に延びる部分は、台座２の第一板状部９０５の下面に貼付された第二フィルム９７２の下側に重なった状態になる。
【０１５３】
図３３に示すように、ＣＰＵ２０１は、駆動部２１４を制御して第四モータ２２４を駆動し、回転抑制部８０のストッパ８１を上流側に移動させる（Ｓ３１）。図４１に示すように、回転抑制部８０のストッパ８１の上流側には、最下位に配置した状態の誘導ローラ３１が配置する。ストッパ８１が上流側に移動する（矢印１４９）ことによって、ストッパ８１に設けられたゴム８１１（図１１参照）は、誘導ローラ３１（図４０参照）に近接し、誘導ローラ３１に巻きついた状態のフィルム２４を誘導ローラ３１との間に挟む。回転抑制部８０のばね８３（図１１参照）がストッパ８１を上流側に付勢することによって、ストッパ８１のゴム８１１は、フィルム２４を介して誘導ローラ３１を上流側に押す。これによって、誘導ローラ３１の回転は禁止され、誘導ローラ３１とストッパ８１のゴム８１１との間にフィルム２４が挟まれる。
【０１５４】
ＣＰＵ２０１は、駆動部２１５を制御して第五モータ２２５を駆動し、ガイドレール７４（図５参照）に沿って切断部７７を左側から右側に移動させる（Ｓ３３）。図４０に示すように、切断部７７の刃部７７１の上端は、誘導ローラ３１の下側及び第一補助ローラ３２下側の間を略水平に延びるフィルム２４よりも上側に配置する。このため、切断部７７が右側に移動することによって、フィルム２４は、誘導ローラ３１及び第一補助ローラ３２の間に延びる部分で刃部７７１によって切断される。切断部７７は、フィルム２４のうち台座２の第一板状部９０５及び物品３を覆った部分を、フィルムロール２２に巻回された部分から切り離す。
【０１５５】
なおフィルムロール２２にはトルクが加わっているため、フィルム２４のうち誘導ローラ３１及び第一補助ローラ３２の間を略水平に延びる部分には張力が作用している。また、誘導ローラ３１と第二補助ローラ３３との間に延びるフィルム２４を、第一補助ローラ３２が下方に押し下げているので、フィルム２４には更に強い張力が作用する。このため、切断部７７が右側に移動した場合、フィルム２４が刃部７７１にまとわり付くことなく、フィルム２４を適切に切断できる。
【０１５６】
ここで、刃部７７１がフィルム２４に接触した状態で右方向に移動してフィルム２４を切断する場合、フィルム２４を右側に誘導する力が作用する。ところが、ストッパ８１によって誘導ローラ３１の回転が禁止されている。またストッパ８１は、誘導ローラ３１との間にフィルム２４を挟んでいる。このため、誘導ローラ３１に対するフィルム２４の位置は固定的になり、刃部７７１によって右側に移動しない。このため、刃部７７１によってフィルム２４を適切に切断できる。またフィルム２４の切断後も、誘導ローラ３１及びストッパ８１はフィルム２４を挟持した状態を維持する。このため、刃部７７１による切断後にフィルム２４が物品３からずれてしまうことを防止できる。
【０１５７】
図４２に示すように、フィルム２４の切断後、フィルムロール２２から延びるフィルム２４のうち切断された端部は、台座ガイドローラ７１の下方側に垂れ下がる。
【０１５８】
図３３に示すように、ＣＰＵ２０１は、駆動部２１６を制御して第六モータ２２６を駆動し、保持部７８を揺動させる（Ｓ３５）。図４３に示すように、保持部７８は矢印１５０の方向に揺動する。台座ガイドローラ７１の下流側に保持ローラ７２が近接配置した状態になる。フィルム２４のうち切断部７７によって切断された端部は、台座ガイドローラ７１及び保持ローラ７２によって挟持される。
【０１５９】
ＣＰＵ２０１は、駆動部２１３を制御して第三モータ２２３を駆動し、加熱部４０を上昇させる（Ｓ３７）。加熱部４０が最上位に配置した状態となった後、ＣＰＵ２０１は、駆動部２１３を制御して第三モータ２２３の駆動を停止し、加熱部４０の上昇を停止させる。図４３に示すように、加熱部４０が最上位まで上昇（矢印１５１）した状態で、加熱部４０の加熱ユニット４１（図８参照）の上面は、搬送経路１０３に下方から近接した状態になる。支持部４１４は、台座２との間にフィルム２４を挟み、フィルム２４に対するヒータ４１１の位置を固定する。
【０１６０】
なお、台座２の第一板状部９０５の第二辺９０２は、加熱部４０の上方位置よりも所定距離分上流側に移動している。台座２の第一板状部９０５の下面のうち第二辺９０２の近傍には、誘導ローラ３１によって誘導されたフィルム２４が下面に沿って配置した状態となっている。また図２８に示すように、台座２の第一板状部９０５の下側のうち、第二辺９０２と第二直線９８２との間に第二フィルム９７２が貼付されている。このため、台座２の第一板状部９０５の下面に沿って配置するフィルム２４と第二フィルム９７２とは重なった状態になっている。従って、加熱部４０が上昇して最上位に配置した場合、加熱ユニット４１の上面は、台座２との間に、フィルム２４及び第二フィルム９７２を挟んだ状態となる。
【０１６１】
図３３に示すように、ＣＰＵ２０１は加熱部４０のヒータ４１１を加熱する（Ｓ３９）。ヒータ４１１はフィルム２４を加熱し、フィルム２４を溶融する。同時にヒータ４１１は、台座２に貼付された第二フィルム９７２を、フィルム２４を介して加熱し、第二フィルム９７２を溶融する。溶融された状態のフィルム２４及び第二フィルム９７２は接着する。これによってフィルム２４のうち切断部７７によって切り取られた端部は、第二フィルム９７２を介して、台座２の第一板状部９０５の第二辺９０２近傍に接着される（Ｓ３９）。フィルムロール２２から切り取られたフィルム２４は、台座２及び物品３を覆った状態になる。
【０１６２】
ＣＰＵ２０１は、Ｓ３９でヒータ４１１の加熱を開始してから所定時間経過後、ヒータ４１１の加熱を停止する（Ｓ４０）。ＣＰＵ２０１は、駆動部２１３を制御して第三モータ２２３を駆動し、加熱部４０を下降させる（Ｓ４１、矢印１５２（図４４参照））。加熱ユニット４１の上面は、搬送経路１０３から離隔する（図４４参照）。加熱部４０が最下位に配置した後、ＣＰＵ２０１は、駆動部２１３を制御して第三モータ２２３の回転を停止させる。
【０１６３】
ＣＰＵ２０１は、駆動部２１４を制御して第四モータ２２４を駆動し、回転抑制部８０のストッパ８１を下流側に移動させる（Ｓ４３、矢印１５３（図４４参照））。ストッパ８１は下流側に移動し、ストッパ８１に設けられたゴム８１１は誘導ローラ３１から離隔する（図４４参照）。誘導ローラ３１は回転可能な状態になる。
【０１６４】
ＣＰＵ２０１は、駆動部２１２を制御して第二モータ２２２を駆動し、ベルト５１を正方向に回転させ、台座２を下流側に搬送させる（Ｓ４５）。包装が完了した台座２及び物品３は、下流側に搬送され、第一受け台１２上に載置される。ベルト５１が正方向に回転することによって、搬送部６０は下流側に移動する。図２０に示すように、ベルト５１に固定された第一搬送部６１が、第一受け台１２の下流側の端部に到達した場合、ベルト５１がプーリ５２１に巻き付いて曲折することによって、第一突出部６１１の底面の第一方向側はベルト５１から離れる。第一突出部６１１は、下流側且つ上方に向けて斜め方向に延びた状態になる。
【０１６５】
ＣＰＵ２０１は、第一搬送部６１が下流側に移動して第一受け台１２の下流側の端部に到達したことを、Ｓ４５（図３３参照）で台座２の下流側への搬送を開始してからの第二モータ２２２の回転数に基づいて検出する。第一搬送部６１が下流側に移動して第一受け台１２の下流側の端部に到達した場合、図３３に示すように、ＣＰＵ２０１は、駆動部２１２を制御して第二モータ２２２の駆動を停止し、台座２の搬送を停止させる（Ｓ４６）。第一突出部６１１は、下流側且つ上方に向けて斜め方向に延びた状態になるので、第一突出部６１１は、台座２の第一板状部の第二辺９０２から離隔する。また、第一延設部６１２の上流側の端部と、第二搬送部６２の第二突出部６２１との間の距離が離隔する。このため使用者は、搬送部６０から台座２を容易に取り外すことができる。包装処理は終了する。
【０１６６】
なおＳ３５で、保持部７８を揺動させることによって、フィルム２４のうち切断部７７によって切断された端部は、台座ガイドローラ７１及び保持ローラ７２によって挟持された状態になっている。このため使用者は、フィルムカセット２１からフィルム２４を引き出して台座ガイドローラ７１及び保持ローラ７２に先端を挟む作業を行うことなく、次の台座２及び物品３をフィルム２４によって連続して包装することが可能となる。なお、使用者が連続して包装作業を行う場合、ＣＰＵ２０１は、包装処理の終了後、ベルト５１が逆方向に回転するように駆動部２１２を制御して第二モータ２２２を駆動する。ＣＰＵ２０１は、搬送部６０を下流側から上流側に移動させ、第二受け台１３上に搬送部６０を配置させる。同時にＣＰＵ２０１は、支持部３４、及び切断部７７を初期化（Ｓ１１）直後の状態にする。
【０１６７】
図４５は、包装装置１によって包装された台座２が梱包箱９９６に収容された状態を示している。なお、図４５では、物品３（図３４参照）が省略されている。図４５の上側、下側、左側、及び右側を、夫々、梱包箱９９６及び台座２の上側、下側、右側、及び左側という。台座２の第三辺９０３、第四辺９０４は、夫々、梱包箱９９６の側壁と上壁との交差位置に接触する。第二板状部９０６、９０７は、下端が左右方向内側を向くように僅かに傾斜する。この状態であっても、第二板状部９０６、９０７は、搬送方向に沿ってみた場合に第一板状部９０５に対して略垂直をなす。梱包箱９９６の左右側壁に、側面突出部９３６の先端部分が接触する。梱包箱９９６の底壁に、底面突出部９２６の先端部分が接触する。
【０１６８】
第一板状部９０５は、左右両端部から下方に突出する底面突出部９２６によって支持される。第一板状部９０５は、梱包箱９９６の底壁から上方に離隔する。また、右方に突出する側面突出部９３６が、梱包箱９９６の右側の側壁と第二板状部９０７との間に介在し、左方に突出する側面突出部９３６が、梱包箱９９６の左側の側壁と第二板状部９０６との間に介在する。第二板状部９０６、９０７と梱包箱９９６との間に空間が設けられる。なお物品３は、台座２の第一板状部９０５に載置された状態で、フィルム２４によって包装される。第一板状部９０５は、梱包箱９９６から離隔した状態で、安定的に梱包箱９９６内に固定される。従って、梱包箱９９６に対する外側からの衝撃は、第一板状部９０５上に固定された物品３に対して伝わり難くなる。このようにして物品３は保護される。
【０１６９】
また、梱包箱９の側壁、上壁、又は底壁に対して垂直方向に荷重が加わる場合であっても、荷重は各側面突出部９３６内部又は各底面突出部９２６内部にある複数の山部９７４（図２２参照）及び谷部９７５（図２２参照）に伝わり分散される。従って、台座２は梱包箱９に収容される場合であっても耐荷重性を向上できる。
【０１７０】
また、各第二底面切れ目９２２及び各第二側面切れ目９３２の延設方向は、曲折部９１１、９１２の延設方向と平行であり、複数の山部９７４及び谷部９７５の延設方向と直交する（図２３参照）。台座２が梱包箱９に収容される場合に、各底面突出部９２６は梱包箱９の底壁に、各側面突出部９３６は梱包箱９の側壁と略垂直をなす。梱包箱９の側壁、上壁、又は底壁に対して垂直方向に荷重が加わり、各側面突出部９３６先端部、又は各底面突出部９２６の先端部に荷重が伝わる場合がある。該場合であっても、荷重は、各側面突出部９３６内部又は各底面突出部９２６内部の複数の山部９７４及び谷部９７５を圧縮させる方向に向き易い。従って、荷重は複数の山部９７４及び谷部９７５を折り曲げる方向に向きにくく、複数の山部９７４及び谷部９７５は更に変形しにくい。故に、台座２は、梱包箱９に収容される場合であっても更に耐荷重性を向上できる。
【０１７１】
以上説明したように、台座２は、一対の曲折部９１１、９１２によって折り曲げた状態で梱包箱９９６に収容された場合、底面突出部９２６部及び側面突出部９３６によって梱包箱９９６の周壁から第一板状部９０５を離隔させることができる。従って、物品３が載置された台座２を梱包箱９９６に収容した状態で、梱包箱９９６に加えられた衝撃が物品３に伝わることを抑制できる。台座２は、梱包箱９９６に加えられた衝撃から物品３を保護することが可能となる。
【０１７２】
また、一対の曲折部９１１、９１２で板状部９０を折り曲げることによって、台座２は、搬送方向に折り曲げ難くなる。従って、台座２に対して搬送方向に張力がかかる向きにフィルム２４を被せ、台座２及び物品３をフィルム２４で包装する場合に、フィルム２４の張力によって台座２が折れ曲がることを抑制できる。
【０１７３】
また、一対の第一底面切れ目９２１と一対の第一側面切れ目９３１は、夫々、一対の曲折部９１１、９１２から延びる。このため、使用者が板状部９０を折り曲げるために板状部９０に力を加えた場合、一対の曲折部９１１、９１２に力が集中する。このため使用者は、強い力を加えることなく容易に板状部９０を折り曲げることができる。また使用者は、一対の曲折部９１１、９１２に沿って板状部９０を適切に折り曲げることができる。
【０１７４】
一対の曲折部９１１、９１２で板状部９０を折り曲げた状態で、第一板状部９０５と同一平面に沿って延びる側面突出部９３６の左右両端部を、梱包箱９９６の内側の側壁に接触させることができる。これによって、台座２が梱包箱９９６内に収容された場合に、梱包箱９９６に対する板状部９０の水平方向の位置を安定させることができる。また、一対の曲折部９１１、９１２で板状部９０を折り曲げた状態で、第三辺９０３、第四辺９０４を、梱包箱９９６における上壁及び側壁が交わる部分の内側に接触させることができる。また、第二板状部９０６、９０７に沿って延びる底面突出部９２６の端部を、梱包箱９９６の内側の底壁に接触させることができる。これによって、台座２が梱包箱９９６内に収容された場合に、梱包箱９９６に対する板状部９０の垂直方向の位置を安定させることができる。以上の結果、梱包箱９９６が動いた場合でも、台座２は梱包箱９９６の移動に追従するので、梱包箱９９６内で台座２が移動して上壁、底壁、及び側壁に衝突し、台座２及び台座２に固定された物品３が破損することを防止できる。
【０１７５】
一対の曲折部９１１、９１２で板状部９０を折り曲げた状態で、板状部９０には複数の穴９２７が形成される。台座２を搬送する場合、一対の第一底面切れ目９２１のうち一方、及び一対の第一側面切れ目９３１の延びる方向は、搬送方向に対して直交する。従って、穴９２７に第二搬送部６２の第二突出部６２１を挿入し、第二搬送部６２を移動させた場合、台座２の穴９２７から第二搬送部６２が外れ難くなる。従って包装装置１は、台座２を適切に搬送することが可能となる。
【０１７６】
一対の曲折部９１１、９１２によって台座２を折り曲げる場合、使用者は、板状部９０の第三辺９０３、第四辺９０４を手で持ち、左右方向内側に力を加える。ここで、底面部９２及び側面部９３は、直線９６に対して線対称に設けられている。このため、使用者が板状部９０に対して加えた力は、一対の曲折部９１１、９１２の夫々に均等に加わる。従って使用者は、一対の曲折部９１１、９１２に沿って台座２を容易に折り曲げることができる。
【０１７７】
また、曲折部９１１、９１２の延設方向は、複数の山部９７４及び谷部９７５の延設方向と交差している。板状部９０の曲折部９１１、９１２を境にした折り曲げに伴い、複数の山部９７４及び谷部９７５は折れ曲がる。第二板状部９０６、９０７は、複数の山部９７４及び谷部９７５によって立設状態が維持されるので、傾倒しにくい。左右方向に荷重が加えられる場合であっても、荷重は第二板状部９０６、９０７で分散される。さらに、台座２に上下方向又は左右方向に荷重が加えられる場合であっても、荷重は、複数の山部９７４及び谷部９７５によって分散される。従って台座２は変形しにくい。また、第一板状部９０５と第二板状部９０６、９０７とは、互いに搬送方向に沿って接続し、互いに搬送方向における耐荷重性を向上させる。故に、台座２は耐荷重性を向上できる。また、台座２が収容された梱包箱９の側壁、上壁、又は底壁に対して垂直方向に荷重が加えられる場合であっても、荷重は複数の山部９７４及び谷部９７５によって分散される。故に、台座２は梱包箱９に収容される場合であっても耐荷重性を向上できる。
【０１７８】
また、曲折部９１１、９１２を境に板状部９０を折り曲げた時に、複数の山部９７４及び谷部９７５は、各底面突出部９２６及び各側面突出部９３６の基端側から先端側へと延設される。台座２が収容された梱包箱９の側壁、上壁、又は底壁に荷重が加わる場合であっても、荷重は、複数の山部９７４山部及び谷部９７５に分散される。各底面突出部９２６及び各側面突出部９３６は変形しにくい。故に、台座２は梱包箱９に収容される場合であっても、耐荷重性をさらに向上できる。
【０１７９】
また、曲折部９１１、９１２、第二側面切れ目９３２、及び第二底面切れ目９２２の延設方向は、複数の山部９７４山部及び谷部９７５の延設方向と直交する。また、底面突出部９２６は第一板状部９０５と略垂直をなす。台座２に対して上下方向又は左右方向に荷重が加わる場合であっても、側面突出部９３６及び底面突出部９２６の先端部から台座２の内部に作用する荷重は、複数の山部９７４及び谷部９７５を延設方向に圧縮させる方向に向き易い。故に、台座２は耐荷重性をさらに向上できる。また、台座２が収容される梱包箱９の側壁、上壁、又は底壁に対して垂直方向に荷重が加わる場合であっても、荷重は複数の山部９７４山部及び９７５谷部を圧縮させる方向に向き易い。故に、台座２は、梱包箱９に収容される場合であっても、耐荷重性をさらに向上できる。
【０１８０】
尚、図４６及び図４７に示すように、包装装置１は、実際には、上ケース８２１及び下ケース８２３を備えている。上ケース８２１の上流側の側面には、略縦長の箱状のカバー８２４及びカバー８２５が設けられている。台座２が下流側に搬送され、上ケース８２１内に入る場合に、台座２の第二板状部９０６に傾斜部９１７が形成され、第二板状部９０７に傾斜部９１８が形成されているので、使用者の手、服の袖、使用者が首にかけているストラップ等が傾斜部９１７又は傾斜部９１８により斜め上方に案内され排除される。従って、使用者の手、服の袖、使用者が首にかけているストラップ等がカバー８２５と第二板状部９０６との間やカバー８２４と第二板状部９０７との間に挟まることを防止できる。また、使用者が首にかけているストラップが台座２の第二板状部９０６，９０７に引っかかってしまうことを防止できる。また、台座２の第一板状部９０５には、目印９５１〜目印９５６が形成され、第二板状部９０６には目印９５７〜目印９５９が形成され、第二板状部９０７には目印９６１〜目印９６３が形成されているので、包装装置１の機構に干渉するような大きな物品を台座２に乗せてしまうことを防止できる。さらに、第一板状部９０５には、滑り止め部９２５が形成されているので、フィルム２４によるラッピング時に、物品３が搭載位置からずれることを抑制できる。さらに、第一板状部９０５には、引き起こし部９４０を形成しているので、物品３が搭載位置からずれて第一板状部９０５から落ちることを防止できる。
【０１８１】
また、図４６及び図４７に示すように、台座２の第二板状部９０６及び第二板状部９０７を折り曲げたときの垂直部分の高さＬ１は、案内部１７１及び案内部１７５の高さＬ２と略同一の高さに形成されている。従って、案内部１７１及び案内部１７５の上面に乗った使用者の手、服の袖、使用者が首にかけているストラップ等は、傾斜部９１７又は傾斜部９１８により斜め上方に案内される。従って、使用者の手、服の袖、使用者が首にかけているストラップ等がカバー８２５と第二板状部９０６との間やカバー８２４と第二板状部９０７との間に挟まることを防止できる。
【０１８２】
なお、左右方向が本発明の「第一方向」及び「一定方向」に相当する。
【０１８３】
なお、本発明は上記実施形態に限定されず、種々の変更が可能である。例えば、図４８及び図４９に示すように、台座２の第二板状部９０６及び第二板状部９０７に開口部である把手孔９８５を各々形成してもよい。この把手孔９８５に手を入れることにより、物品３が載置された状態で台座２を確実に保持できる。把手孔９８５の位置及び形状は、適宜決定すればよい。
【０１８４】
また、傾斜部９１８の傾斜角度や傾斜の開始位置は、包装装置１の構造に合わせて適宜決定すればよい。また、傾斜部９１８は、必ずしも四カ所設ける必要は無く，下流側の二カ所のみでもよい。また、目印９５１〜目印９５６、目印９５７〜目印９５９及び目印９６１〜目印９６３の数や位置は、上記実施の形態に限られず、包装装置１の構造及び台座２の大きさに合わせて適宜決定すればよい。また、滑り止め部９２５の形状は、四角形に限られず、円形等各種の形状にしてもよい。
【０１８５】
また、曲折部９１１、９１２には、切り込みが入れられていてもよい。曲折部９１１、９１２は、一旦折り曲げる等の加工が施されることによって、他の部分よりも強度が弱くなっていてもよい。曲折部９１１、９１２には、ミシン目が設けられていてもよい。
【０１８６】
曲折部９１１、９１２の左右方向の位置は変更できる。例えば台座２は、一対の曲折部を複数備えてもよい。使用者は、梱包箱９９６の大きさに応じて、実際に折り曲げる曲折部を選択できるようにしてもよい。曲折部９１１、９１２の延びる方向は、搬送方向に平行な方向に限定されず、搬送方向に対して傾斜していてもよい。この場合であっても、曲折部９１１、９１２の延設方向は、各山部９７４、各谷部９７５の延設方向と交差する。
【０１８７】
底面部９２の一対の第一底面切れ目９２１及び第二底面切れ目９２２の形状は、直線状に限定されない。例えば一対の第一底面切れ目９２１及び第二底面切れ目９２２の形状は、形成される穴９２７の形状が第二突出部６２１の平面視形状と略同一となるように調整されてもよい。このようにすれば、第二搬送部６２の第二突出部６２１は穴９２７に密着した状態で嵌ることになるので、台座２を適切に押すことが可能となる。
【０１８８】
台座２は、底面部９２を四つ以上（例えば八つ）備えていてもよい。台座２は、側面部９３を二つ以上（例えば四つ）備えていてもよい。底面部９２は、第三底面切れ目９２３及び穴９２４を備えなくてもよい。側面部９３は、第三側面切れ目９３３及び穴９３４を備えなくてもよい。
【０１８９】
曲折部９１１、９１２によって板状部９０を折り曲げた場合の鋭角の角度は、略９０度に限定されない。この角度は、梱包箱９９６の大きさに応じて調整されてもよい。
【０１９０】
台座２が内部に備える中芯９７３は一つに限定されない。台座２は、厚さ方向（上下方向）に積層された複数の波形状の中芯を内部に備えてもよい。
【符号の説明】
【０１９１】
１      包装装置
２      台座
３      物品
９０    板状部
９２    底面部
９３    側面部
９７    フィルム
９０１  第一辺
９０２  第二辺
９０３  第三辺
９０４  第四辺
９０５  第一板状部
９０６、９０７  第二板状部
９１１、９１２  曲折部
９１３、９１４、９１５、９１６  交点
９１７、９１８、９１９、９２０  傾斜部
９２１  第一底面切れ目
９２２  第二底面切れ目
９２３  第三底面切れ目
９２５  滑り止め部
９２６  底面突出部
９３６  側面突出部
９４０  引き起こし部
９４１、９４２、９４３、９４６、９４７  切れ目
９４４  曲折部  
９４５  引き起こし片
９４８  曲折部
９４９  引き起こし片
９５１、９５２、９５３、９５４、９５５、９５６、９５７、９５８、９５９、９６１、９６２、９６３  目印
９７３  中芯
９７４  山部
９７５  谷部
９８５  把手孔
【図１】
2014177303.tif 000003
【図２】
2014177303.tif 000004
【図３】
2014177303.tif 000005
【図４】
2014177303.tif 000006
【図５】
2014177303.tif 000007
【図６】
2014177303.tif 000008
【図７】
2014177303.tif 000009
【図８】
2014177303.tif 000010
【図９】
2014177303.tif 000011
【図１０】
2014177303.tif 000012
【図１１】
2014177303.tif 000013
【図１２】
2014177303.tif 000014
【図１３】
2014177303.tif 000015
【図１４】
2014177303.tif 000016
【図１５】
2014177303.tif 000017
【図１６】
2014177303.tif 000018
【図１７】
2014177303.tif 000019
【図１８】
2014177303.tif 000020
【図１９】
2014177303.tif 000021
【図２０】
2014177303.tif 000022
【図２１】
2014177303.tif 000023
【図２２】
2014177303.tif 000024
【図２３】
2014177303.tif 000025
【図２４】
2014177303.tif 000026
【図２５】
2014177303.tif 000027
【図２６】
2014177303.tif 000028
【図２７】
2014177303.tif 000029
【図２８】
2014177303.tif 000030
【図２９】
2014177303.tif 000031
【図３０】
2014177303.tif 000032
【図３１】
2014177303.tif 000033
【図３２】
2014177303.tif 000034
【図３３】
2014177303.tif 000035
【図３４】
2014177303.tif 000036
【図３５】
2014177303.tif 000037
【図３６】
2014177303.tif 000038
【図３７】
2014177303.tif 000039
【図３８】
2014177303.tif 000040
【図３９】
2014177303.tif 000041
【図４０】
2014177303.tif 000042
【図４１】
2014177303.tif 000043
【図４２】
2014177303.tif 000044
【図４３】
2014177303.tif 000045
【図４４】
2014177303.tif 000046
【図４５】
2014177303.tif 000047
【図４６】
2014177303.tif 000048
【図４７】
2014177303.tif 000049
【図４８】
2014177303.tif 000050
【図４９】
2014177303.tif 000051